(57)【要約】  一側面による掃除機は、埃と空気を案内する吸入部；前記吸入部で案内される空気から埃を分離するための埃分離部を備える本体；前記本体に設けられる本体端子；前記本体にスライディング方式で結合され得るハンドル部；および前記ハンドル部に備えられて前記ハンドル部が前記本体にスライディング方式で結合される過程で前記本体端子に連結されるハンドル端子を含む。【選択図】  図６
2019525813.tif 000002
【特許請求の範囲】
【請求項１】
掃除機であって、
埃と空気を案内する吸入部；
前記吸入部で案内される空気から埃を分離するための埃分離部を備える本体；
前記本体に設けられる本体端子；
前記本体にスライディング方式で結合され得るハンドル部；及び
前記ハンドル部に備えられて前記ハンドル部が前記本体にスライディング方式で結合される過程で前記本体端子に連結されるハンドル端子を備えてなる、掃除機。
【請求項２】
前記吸入部は、前記本体と第１結合方向に結合され、
前記ハンドル部は、前記吸入部の反対側から第１結合方向と交差する第２結合方向に前記本体に結合される、請求項１に記載の掃除機。
【請求項３】
前記第１結合方向は水平方向であり、前記第２結合方向は上下方向である、請求項２に記載の掃除機。
【請求項４】
前記本体は、前記ハンドル部と結合するためのハンドル結合部を備え、
前記ハンドル部は、前記ハンドル結合部と結合するためのボディ結合部を備え、
前記ハンドル部が前記本体に対してスライディングなされる過程で前記ボディ結合部が前記ハンドル結合部に係合される、請求項１に記載の掃除機。
【請求項５】
前記ハンドル部は、結合フックを更に備え、
前記本体は、前記結合フックが結合されるフック結合部を更に備え、
前記本体で前記ハンドル結合部と前記フック結合部は上下方向に離隔して配置される、請求項４に記載の掃除機。
【請求項６】
前記本体は、
第１ボディと、
前記第１ボディと連結される第２ボディと、
前記第１ボディに結合されるカバー部材とを更に備え、
前記カバー部材に前記本体端子が設けられ、
前記カバー部材に前記フック結合部が備えられ、
前記第２ボディに前記ハンドル結合部が備えられる、請求項５に記載の掃除機。
【請求項７】
前記カバー部材は、前記ハンドル部と結合のための追加のハンドル結合部を更に備え、
前記ハンドル部は、前記追加のハンドル結合部に結合されるリブを更に備え、請求項６に記載の掃除機。
【請求項８】
前記カバー部材は、前記ハンドル部が前記本体に結合される方向と反対方向に前記本体にスライディング結合される、請求項６に記載の掃除機。
【請求項９】
前記第１ボディと前記第２ボディは、上下方向に連結され、
前記第１ボディは、第１結合部を含み、
前記第２ボディは、前記第１結合部と結合する第２結合部を備えた、請求項６に記載の掃除機。
【請求項１０】
前記カバー部材は、前記本体端子を支持するために水平方向に離隔する複数の結合リブを備え、
前記複数の結合リブの間に前記本体端子が位置した状態で前記本体端子が前記複数の結合リブに結合される、請求項６に記載の掃除機。
【請求項１１】
前記カバー部材は、前記本体端子の下面を支持する端子支持部を備えてなる、請求項６に記載の掃除機。
【請求項１２】
前記本体端子及び前記ハンドル端子それぞれは、電源を供給するための電源端子を備えてなる、請求項１に記載の掃除機。
【請求項１３】
前記本体は、前記本体端子から離隔して制御信号を伝達するコネクティング端子を更に備えてなる、請求項１２に記載の掃除機。
【請求項１４】
前記ハンドル部は、前記コネクティング端子と連結されるメインＰＣＢを更に備えてなり、
前記コネクティング端子は、第１信号端子と、前記第１信号端子から離隔する第２信号端子とを備えてなり、
前記ハンドル部が前記本体に結合される過程で前記メインＰＣＢの一部は、前記第１信号端子と前記第２信号端子に係合される、請求項１３に記載の掃除機。
【請求項１５】
前記吸入モータは、前記本体に備えられ、
前記コネクティング端子は、前記吸入モータに前記メインＰＣＢの制御信号を伝達し、
前記本体端子は、前記吸入モータに電源を供給する、請求項１４に記載の掃除機。
【請求項１６】
前記吸入モータは、前記本体に備えられ、
前記コネクティング端子は、前記吸入モータに前記メインＰＣＢの制御信号を伝達し、
前記本体端子は、前記吸入モータに電源を供給する、請求項１４に記載の掃除機。
【請求項１７】
前記本体は、吸入モータを更に含み、
前記本体端子は、前記吸入モータに電源を伝達するための第１電源端子と、前記吸入部の第２端子に電源を伝達するための第２電源端子を備えてなる、請求項１６に記載の掃除機。
【請求項１８】
前記各電源端子は、複数の端子ピンを備え、
前記複数の端子ピンは、水平方向に離隔した状態で一列に配列される、請求項１７に記載の掃除機。
【請求項１９】
前記ハンドル部に収容されるバッテリーを更に備え、
前記バッテリーは、前記ハンドル部が前記本体に結合される方向と反対方向に前記ハンドル部に収容される、請求項１に記載の掃除機。
【請求項２０】
埃と空気を案内する吸入部；
前記吸入部で空気吸入が可能に吸入力を発生させる吸入モータを備える本体；
前記本体に設けられて前記吸入モータと電線によって連結された本体端子；
前記本体に結合されるハンドル部；
前記ハンドル部に分離可能に連結されて前記吸入モータに電源を供給するためのバッテリー；及び
前記ハンドル部に備えられて前記バッテリーと連結され、前記ハンドル部が前記本体に結合される過程で前記本体端子と機構的に連結されるハンドル端子を備えてなる、掃除機。
【請求項２１】
前記ハンドル部には、前記バッテリーと連結されるためのバッテリー連結端子が備えられ、
前記バッテリーには、前記バッテリー連結端子が機構的に結合されるためのバッテリー端子が備えられる、請求項２０に記載の掃除機。
【請求項２２】
前記ハンドル部には、前記ハンドル端子及び前記バッテリー連結端子と連結されるメインＰＣＢユニットが備えられる、請求項２１に記載の掃除機。
【発明の詳細な説明】
【技術分野】
【０００１】
本明細書は、掃除機に関する。
【背景技術】
【０００２】
掃除機は、使用者が直接掃除機を移動させながら掃除を行う手動掃除機と、自ら走行しながら掃除を行う自動掃除機とに区分することができる。
【０００３】
また、手動掃除機は、掃除機の形態により、キャニスター型掃除機、アップライト型掃除機、ハンディ型掃除機、スティック型掃除機などに区分することができる。
【０００４】
ハンディ型掃除機は、一般的に吸入部と、本体と、ハンドル部とを含むことができる。
【０００５】
前記吸入部には、吸入ノズルが備えられる延長管が連結され得る。そして、前記ハンドル部には、電源供給のためのバッテリーが備えられ得る。
【０００６】
前記吸入ノズルがカーペット掃除のための清掃部材と、前記清掃部材を回転させるためのモータとを含む場合には、前記モータは、前記ハンドル部に配置された前記バッテリーから電源の供給を受けなければならない。
【０００７】
前記モータが前記ハンドル部に配置されたバッテリーから電源の供給を受けるためには、前記バッテリーは、前記モータに電源供給のための電線と制御信号の送出のための電線によって連結されなければならない。前記電線は、前記本体を通って前記吸入部に連結される。
【０００８】
前記本体またはハンドル部には、モータを制御するためのＰＣＢが配置され得る。
【０００９】
しかし、ハンディ型掃除機は、他の掃除機より体積が小さくて組立過程でＰＣＢの組み立ておよび電線の連結過程が困難である。
【００１０】
一方、先行文献である大韓民国登録特許公報第１０-１１２７０８８号（登録日２０１２．０３．０８．）にはハンドヘルド真空掃除機が開示されている。
【発明の概要】
【発明が解決しようとする課題】
【００１１】
本発明の目的は、組立過程が容易な掃除機を提供することにある。
【００１２】
また、本発明の目的は、使用者が端子を連結する作業をせずに、掃除機を組立過程で端子が連結され得る掃除機を提供することにある。
【００１３】
また、本発明の目的は、電源供給のための電線と制御信号を伝送する電線を分離することによって、端子の大きさが減ることができる掃除機を提供することにある。
【課題を解決するための手段】
【００１４】
一側面による掃除機は、埃と空気を案内する吸入部；前記吸入部で案内される空気から埃を分離するための埃分離部を備える本体；前記本体に設けられる本体端子；前記本体にスライディング方式で結合され得るハンドル部；および前記ハンドル部に備えられて前記ハンドル部が前記本体にスライディング方式で結合される過程で前記本体端子に連結されるハンドル端子を含む。
【００１５】
他の側面による掃除機は、埃と空気を案内する吸入部；前記吸入部で空気吸入ができるように吸入力を発生させる吸入モータを備える本体；前記本体に設けられて前記吸入モータと電線によって連結された本体端子；前記本体に結合されるハンドル部；前記ハンドル部に分離可能に連結されて前記吸入モータに電源を供給するためのバッテリー；および前記ハンドル部に備えられて前記バッテリーと連結され、前記ハンドル部が前記本体に結合される過程で前記本体端子と機構的に連結されるハンドル端子を含む。
【発明の効果】
【００１６】
提案される発明によると、本体を組み立て、ハンドル部を組み立てた後にハンドル部を本体にスライディング結合させるので、本体とハンドル部を組み立てるとき、スクリューを用いた組立過程が省略されて掃除機の組立性が向上するという長所がある。
【００１７】
また、ハンドル部にハンドル端子が備えられ、本体に本体端子が備えられ、ハンドル部が本体にスライディング結合されるときに本体端子がハンドル端子に結合されるので、端子を別に連結するための連結過程が不要であるという長所がある。
【００１８】
また、本体にコネクティング端子が設けられ、ハンドル部にメインＰＣＢが備えられ、ハンドル部が本体にスライディング結合されるときにメインＰＣＢがコネクティング端子に結合されるので、メインＰＣＢをコネクティング端子に連結するための連結過程が不要であるという長所がある。
【００１９】
また、ハンドル端子と本体端子は電源端子のみを含み、吸入モータの制御のための信号端子は別に存在するので、ハンドル端子と本体端子の大きさが大きくなることが防止され得る。
【００２０】
また、本体端子がカバー部材に設けられ、本体端子に連結される電線がカバー部材によってガイドされるので、ダストボックスが透明または半透明に形成されても電線がダストボックスを介して外部から見えることが防止され得る。
【図面の簡単な説明】
【００２１】
【図１】本発明の一実施例に係る掃除機の斜視図。
【図２】本発明の一実施例に係る掃除機の側面図。
【図３】本発明の一実施例に係る掃除機の平面図。
【図４】本発明の一実施例に係る掃除機を下側から見た斜視図。
【図５】本発明の一実施例に係る掃除機の断面図。
【図６】本発明の一実施例に係る掃除機の分解斜視図。
【図７】本発明の一実施例に係る支持ボディとシーリング部材を示す図面。
【図８】本発明の一実施例に係る第１ボディの斜視図。
【図９】図８の第１ボディの正面図。
【図１０】本発明の一実施例に係る第２ボディの斜視図。
【図１１】本発明の一実施例に係る第２ボディの正面図。
【図１２】第１ボディと第２ボディが結合された状態を示す本体の正面図。
【図１３】第１ボディと第２ボディが結合された状態を示す本体の後面斜視図。
【図１４】本発明の一実施例に係る吸入部の斜視図。
【図１５】本発明の一実施例に係る吸入部の分解斜視図。
【図１６】本発明の吸入部が本体に結合    される様子を示す図面。
【図１７】本発明の一実施例に係る吸入モータが本体に収容される様子を示す図面。
【図１８】本発明の一実施例に係る上部モータハウジングが本体に収容される様子を示す図面。
【図１９】本発明の一実施例に係る流動ガイドが本体に収容される様子を示す図面。
【図２０】本発明の一実施例に係るプレフィルタが本体に収容される様子を示す図面。
【図２１】本発明の一実施例に係るフィルタ機構が本体に連結される様子を示す図面。
【図２２】本発明の一実施例に係るフィルタ機構の下部斜視図。
【図２３】本発明の一実施例に係るフィルタ機構が流動ガイドに結合される前の状態を示す図面。
【図２４】本発明の一実施例に係るフィルタ機構が流動ガイドに結合された状態を示す図面。
【図２５】本発明の一実施例に係るカバー部材の斜視図。
【図２６】本発明の一実施例に係るカバー部材の斜視図。
【図２７】本発明の一実施例に係る本体端子を示す斜視図。
【図２８】本発明の一実施例に係るカバー部材が本体に結合される前の状態を示す縦断面図。
【図２９】カバー部材が本体に結合された状態を示す縦断面図。
【図３０】本発明の一実施例に係るカバー部材が本体に結合された状態を示す横断面図。
【図３１】カバー部材に本体端子が設けられた状態を示す図面。
【図３２】本発明の一実施例に係るハンドル部の斜視図。
【図３３】本発明の一実施例に係るハンドル端子の斜視図。
【図３４】本発明の一実施例に係るハンドル端子の斜視図。
【図３５】本発明の一実施例に係るメインＰＣＢユニットの斜視図。
【図３６】図３５のメインＰＣＢユニットの正面図。
【図３７】図３５のメインＰＣＢユニットの分解斜視図。
【図３８】図３５のメインＰＣＢユニットの分解斜視図。
【図３９】本発明のＰＣＢコネクターの斜視図。
【図４０】本発明の一実施例に係るハンドルボディの斜視図。
【図４１】本発明の一実施例に係るハンドルの内部構造を示す断面図。
【図４２】本発明の一実施例に係るハンドルボディにメインＰＣＢユニットが結合された状態の断面図。
【図４３】本発明の一実施例に係るハンドルボディにメインＰＣＢユニットが結合された状態でパワーＰＣＢが支持リブに安着された様子を示す図面。
【図４４】図４３の状態でハンドルカバーおよび操作部が結合される様子を示す図面。
【図４５】本発明の一実施例に係るハンドル部にハンドル端子とメインＰＣＢユニットが設けられた様子を示す図面。
【図４６】本発明の一実施例に係るハンドル部の組み立てが完了した状態でハンドル部が本体に結合される様子を示す図面。
【図４７】本発明の一実施例に係るハンドル部がカバー部材に結合される前の状態を示す縦断面図。
【図４８】本発明の一実施例に係るハンドル部がカバー部材に結合された状態を示す縦断面図。
【図４９】本発明の一実施例に係るハンドル部がカバー部材に結合された状態を示す横断面図。
【図５０】本発明の一実施例に係るハンドル部が第２ボディに結合される前の状態を示す縦断面図。
【図５１】本発明の一実施例に係るハンドル部が第２ボディに結合された状態を示す縦断面図。
【図５２】本発明の一実施例に係るボディカバーが結合されたインナーハウジングが本体に結合される様子を示す図面。
【図５３】本発明の一実施例に係るカバー部材が本体に結合された状態を示す斜視図。
【図５４】本発明の一実施例に係るカバー部材が結合された本体にインナーハウジングが結合された状態を示す斜視図。
【図５５】本発明の一実施例に係る本体にインナーハウジングが結合された状態を示す断面図。
【図５６】本発明の一実施例に係るバッテリーハウジングにバッテリーが結合される様子を示す斜視図。
【図５７】本発明の一実施例に係るバッテリーハウジングにバッテリーが結合された様子を示す縦断面図。
【図５８】本発明の掃除機の結合構造を概略的に示す概念図。
【発明を実施するための形態】
【００２２】
以下、本発明の一部の実施例を例示的な図面を通じて詳細に説明する。各図面の構成要素に参照符号を付けることにおいて、同一の構成要素に対しては、たとえ他の図面上に示されてもできるだけ同じ符号を有するようにしていることに留意しなければならない。また、本発明の実施例を説明することにおいて、関連した公知の構成または機能に対する具体的な説明が本発明の実施例に対する理解を妨害すると判断される場合にはその詳細な説明は省略する。
【００２３】
また、本発明の構成要素を説明することにおいて、第１、第２、Ａ、Ｂ、（ａ）、（ｂ）等の用語を使用し得る。このような用語は単にその構成要素を他の構成要素と区別するためのものであり、その用語によって該当構成要素の本質や順序または手順などが限定されることはない。ある構成要素が他の構成要素に「連結」、「結合」または「接続」されると記載された場合、その構成要素はその他の構成要素に直接的に連結されるかまたは接続され得るが、各構成要素の間にまた他の構成要素が「連結」、「結合」または「接続」され得ると理解されるべきである。
【００２４】
図１は、本発明の一実施例に係る掃除機の斜視図であり、図２は、本発明の一実施例に係る掃除機の側面図であり、図３は、本発明の一実施例に係る掃除機の平面図であり、図４は、本発明の一実施例に係る掃除機を下側から見た斜視図であり、図５は、本発明の一実施例に係る掃除機の断面図である。
【００２５】
図１ないし図５を参照すると、本発明の一実施例に係る掃除機１は、本体２を含むことができる。
【００２６】
前記掃除機１は、前記本体２の前面に結合される吸入部５をさらに含むことができる。前記吸入部５は、埃を含む空気を前記本体２に案内することができる。
【００２７】
前記掃除機１は、前記本体２に結合されるハンドル部３をさらに含むことができる。前記ハンドル部３は、前記本体２で前記吸入部５の反対側に位置し得る。
【００２８】
すなわち、前記吸入部５と前記ハンドル部３との間に前記本体２が配置され得る。
【００２９】
前記本体２は、第１ボディ１０と、前記第１ボディ１０の上側に位置する第２ボディ１２とを含むことができる。
【００３０】
前記第１ボディ１０と前記第２ボディ１２は、制限的ではないが、円筒形状に形成され得る。
【００３１】
そして、前記吸入部５の中央部が概略的に前記第１ボディ１０と前記第２ボディ１２の境界部に位置するように前記吸入部５が前記本体２に結合され得る。
【００３２】
前記本体２は、前記吸入部５を介して吸入された空気から埃を分離する埃分離部をさらに含むことができる。
【００３３】
前記埃分離部は、一例として、サイクロン流動によって埃を分離できる第１サイクロン部１８０を含むことができる。このとき、前記第１ボディ１０が前記第１サイクロン部１８０を含む。
【００３４】
前記吸入部５を介して吸入される空気と埃は、前記第１サイクロン部１８０の内周面に沿って螺旋流動するようになる。
【００３５】
前記第１サイクロン部１８０のサイクロン流動の軸は、上下方向に延びることができる。
【００３６】
前記埃分離部は、前記第１サイクロン部１８０から排出された空気から埃を再度分離する第２サイクロン部１９０をさらに含むことができる。このとき、前記埃分離部の大きさが最小化されるように、前記第２サイクロン部１９０は、前記第１サイクロン部１８０の内部に位置し得る。前記第２サイクロン部１９０は、並列に配置される複数のサイクロンボディを含むことができる。
【００３７】
他の例として、前記埃分離部が単一サイクロン部を有してもよく、この場合にも前記サイクロン流動の軸は、上下方向に延びることができる。
【００３８】
前記第１ボディ１０は、前記各サイクロン部１８０、１９０で分離された埃を貯蔵するダストボックス１８２の役割をする。すなわち、前記第１ボディ１０は、第１サイクロン部１８０とダストボックス１８２とを含む。前記第１ボディ１０の上側部が第１サイクロン部１８０であり、前記第１ボディ１０の下側部がダストボックス１８２である。このとき、前記ダストボックスに貯蔵された埃の量を使用者が目視で確認できるように、前記第１ボディ１０の一部または全部は透明または半透明であり得る。
【００３９】
前記本体２は、前記第１ボディ１０の下側を開閉するボディカバー１６をさらに含むことができる。前記ボディカバー１６は、回転動作によって前記第１ボディ１０を開閉することができる。
【００４０】
前記第２サイクロン部１９０の少なくとも一部は、前記第１ボディ１０内に位置し得る。
【００４１】
前記第１ボディ１０内には、前記第２サイクロン部１９０で分離された埃の貯蔵をガイドする埃貯蔵ガイド１２４が配置され得る。前記埃貯蔵ガイド１２４は、前記第２サイクロン部１９０の下側に結合されて前記ボディカバー１６の上面に接触し得る。
【００４２】
前記埃貯蔵ガイド１２４は、前記第１ボディ１０の内部空間を前記第１サイクロン部１８０で分離された埃が貯蔵される第１埃貯蔵部１２１と、前記第２サイクロン部１９０で分離された埃が貯蔵される第２埃貯蔵部１２３とに区画することができる。
【００４３】
前記埃貯蔵ガイド１２４の内部空間が前記第２埃貯蔵部１２３であり、前記埃貯蔵ガイド１２４と前記第１ボディ１０との間の空間が第１埃貯蔵部１２１である。
【００４４】
前記ボディカバー１６は、前記第１埃貯蔵部１２１と前記第２埃貯蔵部１２３とを共に開閉することができる。
【００４５】
前記掃除機１は、吸入力を発生させるための吸入モータ２０と、前記吸入モータ２０に電源を供給するためのバッテリー４０とをさらに含むことができる。
【００４６】
前記吸入モータ２０は、前記第２ボディ１２内に位置し得る。そして、前記吸入モータ２０の少なくとも一部は、前記埃分離部の上側に位置し得る。したがって、前記吸入モータ２０は、前記第１ボディ１０の上方に位置する。
【００４７】
前記吸入モータ２０は、前記第２サイクロン部１９０の排出口と連通することができる。
【００４８】
このために、前記本体２は、前記第２サイクロン部１９０と連結される排出ガイド２８と、前記排出ガイド２８と連通する流動ガイド２２とをさらに含むことができる。
【００４９】
一例として、前記排出ガイド２８は、前記第２サイクロン部１９０の上側に位置し、前記流動ガイド２２は、前記排出ガイド２８の上側に位置する。
【００５０】
そして、前記吸入モータ２０の少なくとも一部は、前記流動ガイド２２の内部に位置する。
【００５１】
したがって、前記第１サイクロン部１８０のサイクロン流動の軸は、前記吸入モータ２０を貫通することができる。
【００５２】
前記吸入モータ２０が前記第２サイクロン部１９０の上側に位置すると、前記第２サイクロン部１９０から排出された空気が直ちに前記吸入モータ２０側に流動できて、前記埃分離部と前記吸入モータ２０との間の流路が最小化され得る。
【００５３】
前記吸入モータ２０は、回転動作するインペラ２００を含むことができる。前記インペラ２００は、シャフト２０２に連結され得る。前記シャフト２０２は、上下方向に延びるように配置される。
【００５４】
前記シャフト２０２の延長線（インペラ２００の回転軸ということもできる）は、前記第１ボディ１０を通過することができる。このとき、前記インペラ２００の回転軸と前記埃分離部の第１サイクロン部１８０で発生するサイクロン流動の軸は、同一線上に位置し得る。
【００５５】
本発明によると、前記埃分離部から排出された空気、すなわち、第２サイクロン部１９０から上方に排出された空気が前記吸入モータ２０側に流動する経路が減り、空気の方向変化が減ることができて空気の流動損失が減るという長所がある。
【００５６】
空気の流動損失が減る場合、吸入力が増加でき、前記吸入モータ２０に電源を供給するためのバッテリー４０の使用時間が増加できる。
【００５７】
前記掃除機１は、前記吸入モータ２０の上側の一部をカバーする上部モータハウジング２６と前記吸入モータ２０の下側の一部をカバーする下部モータハウジング２７とをさらに含むことができる。前記下部モータハウジング２７は、前記第２ボディ１２と一体に形成されたり前記第２ボディ１２に結合され得る。
【００５８】
前記吸入モータ２０は、前記各モータハウジング２６、２７の内部に収容され、前記流動ガイド２２は、前記上部モータハウジング２６を囲むように配置され得る。
【００５９】
前記流動ガイド２２の少なくとも一部は、前記上部モータハウジング２６から離隔し得る。また、前記流動ガイド２２の少なくとも一部は、前記第２ボディ１２から離隔し得る。
【００６０】
したがって、前記流動ガイド２２の内周面と前記上部モータハウジング２６の外周面は、第１空気流路２３２を形成し、前記流動ガイド２２の外周面と前記第２ボディ１２の内周面は、第２空気流路２３４を形成する。
【００６１】
前記第２サイクロン部１９０から排出された空気は、前記第１空気流路２３２に沿って前記吸入モータ２０に流動し、前記吸入モータ２０から排出された空気は、前記第２空気流路２３４に沿って流動した後に外部に排出される。したがって、前記第２空気流路２３４は、排気流路の役割をする。
【００６２】
前記ハンドル部３は、使用者の把持のためのハンドル３０と、前記ハンドル３０の下側に配置されるバッテリーハウジング６０とを含むことができる。
【００６３】
前記ハンドル３０は、前記吸入モータ２０の後方に位置し得る。
【００６４】
方向に対して定義すると、前記掃除機１において前記吸入モータ２０を基準に、前記吸入部５が位置する方向が前方であり、前記ハンドル３０が位置する方向が後方である。
【００６５】
前記バッテリー４０は、前記第１ボディ１０の後方に位置し得る。したがって、前記吸入モータ２０と前記バッテリー４０は、上下方向に重ならないように配置され、配置高さもまた異なるように配置され得る。
【００６６】
このような本発明によると、前記ハンドル３０を基準に、重さが重い吸入モータ２０が前記ハンドル３０の前方に位置し、重さが重いバッテリー４０が前記ハンドル３０の下方に位置するので、前記掃除機１は全体的に重さが等しく分配される。使用者が前記ハンドル３０を把持して掃除をするとき、使用者の手首に負担がかかることが防止され得る。すなわち、掃除機１の前面と後方に重さが重い構成が分散されて配置されるが、互いに異なる高さに配置されるので、掃除機１の重心がある一側に偏ることが防止され得る。
【００６７】
前記バッテリー４０が前記ハンドル３０の下方に位置し、前記吸入モータ２０は前記ハンドル３０の前方に位置するので、前記ハンドル３０の上方には何の構成も存在しなくなる。すなわち、前記ハンドル３０の上面は、前記掃除機１の上面の一部の外観を形成する。
【００６８】
したがって、前記ハンドル３０を把持して使用する過程で、掃除機１の一構成が使用者の腕に接触することが防止され得る。
【００６９】
前記ハンドル３０は、上下方向に延びて使用者が把持できる第１延長部３１０と、前記第１延長部３１０の上側から前記吸入モータ２０に向かって延びる第２延長部３２０とを含むことができる。前記第２延長部３２０は、少なくとも一部が水平方向に延びることができる。
【００７０】
前記第１延長部３１０には、使用者が前記第１延長部３１０を把持した状態で、手が前記第１延長部３１０の長手方向（図２には上下方向）に移動することを防止するための移動制限部３１２が備えられ得る。前記移動制限部３１２は、前記第１延長部３１０から前記吸入部５に向かって延びることができる。
【００７１】
前記移動制限部３１２は、前記第２延長部３２０から離隔して配置される。したがって、前記第１延長部３１０を把持した状態で、一部の指は、前記移動制限部３１２の上方に位置し、残りの指は、前記移動制限部３１２の下方に位置する。
【００７２】
一例として、人差し指と中指との間に前記移動制限部３１２が位置し得る。
【００７３】
このような配置によると、使用者が前記第１延長部３１０を把持した状態で、前記吸入部５の長手方向の軸Ａ１が使用者の手首を通ることができる。
【００７４】
前記吸入部５の長手方向の軸Ａ１が使用者の手首を通る場合、使用者の腕が伸ばされた状態で、前記吸入部５の長手方向の軸Ａ１は，使用者の腕の延長方向と実質的に平行であり得る。したがって、このような状態では、使用者が前記ハンドル３０を把持して掃除機１を押したり引くとき必要な使用者の力が最小化されるという長所がある。
【００７５】
前記ハンドル３０は、操作部３９０を含むことができる。一例として、前記操作部３９０は、前記第２延長部３２０に形成される傾斜面に位置し得る。前記操作部３９０を介して掃除機（吸入モータ）のオン命令およびオフ命令を入力することができる。
【００７６】
前記操作部３９０は、使用者に向かうように配置され得る。前記ハンドル３０を基準に、前記操作部３９０は、前記移動制限部３１２の反対側に位置し得る。
【００７７】
前記操作部３９０は、前記移動制限部３１２より高く位置する。したがって、使用者が前記第１延長部３１０を把持した状態で、親指で容易に前記操作部３９０を操作することができる。
【００７８】
また、前記第１延長部３１０から外れた位置に前記操作部３９０が位置するので、前記第１延長部３１０を把持した状態で掃除を行うとき、意図せずに前記操作部３９０が操作されることが防止され得る。
【００７９】
前記バッテリーハウジング６０は、前記第１延長部３１０の下側に位置し得る。
【００８０】
前記バッテリー４０は、前記バッテリーハウジング６０に分離可能に結合され得る。一例として、前記バッテリー４０は、前記バッテリーハウジング６０の下方から前記バッテリーハウジング６０の内部に挿入され得る。
【００８１】
前記バッテリーハウジング６０の後面と前記第１延長部３１０の後面は、連続的な面を形成することができる。したがって、前記バッテリーハウジング６０と前記第１延長部３１０が一体感を有し得る。
【００８２】
前記バッテリー４０が前記バッテリーハウジング６０に収容された状態で、前記バッテリー４０の下面が外部に露出し得る。したがって、前記掃除機１を床に置くとき前記バッテリー４０が床に置かれ得る。
【００８３】
このような構造によると、前記バッテリー４０を前記バッテリーハウジング６０から直ちに分離できるという長所がある。
【００８４】
また、前記バッテリー４０の下面が外部に露出するので、前記バッテリー４０の下面が掃除機１の外部の空気と直接接触できて前記バッテリー４０の冷却性能が向上し得る。
【００８５】
前記バッテリーハウジング６０は、アウターハウジング６００とインナーハウジング６１０とを含むことができる。前記インナーハウジング６１０は、前記アウターハウジング６００の下側に挿入され得る。
【００８６】
前記インナーハウジング６１０は、前記アウターハウジング６００および前記第１ボディ１０のうち一つ以上に固定され得る。そして、前記バッテリー４０は、前記インナーハウジング６１０に結合され得る。
【００８７】
本発明によると、前記インナーハウジング６１０が前記アウターハウジング６００に挿入された状態で、前記バッテリー４０を収容して前記バッテリー４０と結合するので、前記アウターハウジング６００が変形されたり前記バッテリー４０の装着および分離過程で、アウターハウジング６００が損傷されることが防止され得る。
【００８８】
前記インナーハウジング６１０は、前記バッテリー４０が前記インナーハウジング６１０に装着された状態で、前記バッテリー４０を充電させるための充電台連結端子６２８をさらに含むことができる。前記掃除機１を示されていない充電台に安着させると、前記充電台の端子が前記充電台連結端子６２８と接触し得る。
【００８９】
前記バッテリーハウジング６００には、前記バッテリーハウジング６０に収容されたバッテリー４０内に備えられるバッテリー端子４９０と結合するためのバッテリー連結端子６７０が備えられ得る。前記バッテリー連結端子６７０は、前記バッテリー４０の上側を貫通して前記バッテリー端子４９０に結合され得る。
【００９０】
もちろん、前記インナーハウジング６１０を別に形成せず、前記インナーハウジング６１０を前記アウターハウジング６００と一体に形成することも可能である。
【００９１】
前記インナーハウジング６１０は、前記ボディカバー１６のヒンジ１６２が結合される一対のヒンジ結合部６２０を含むことができる。前記一対のヒンジ結合部６２０は、一定間隔離隔して配置され得る。
【００９２】
一方、図３を参照すると、前記掃除機１は、前記吸入モータ２０を通った空気が排出される空気排出口５２２を有するフィルタ機構５０をさらに含むことができる。前記空気排出口５２２は、一例として複数の開口を含み、複数の開口は、円周方向に配列され得る。
【００９３】
前記フィルタ機構５０は、前記本体２の上側に分離可能に結合され得る。前記フィルタ機構５０は、前記第２ボディ１２に分離可能に収容され得る。
【００９４】
前記フィルタ機構５０が前記本体２に結合された状態で、前記フィルタ機構５０の一部は、前記第２ボディ１２の外側に位置する。したがって、前記フィルタ機構５０の一部は、前記本体２の上側開口を介して前記本体２内部に引き入れられ、他の一部は、前記本体２の外部に突出する。
【００９５】
前記本体２の高さは、前記ハンドル３０の高さと実質的に同一であり得る。したがって、前記フィルタ機構５０は、前記本体２の上方に突出して使用者が前記フィルタ機構５０を把持した状態で、前記フィルタ機構５０を容易に分離することができる。
【００９６】
前記フィルタ機構５０が前記本体２に結合された状態で、前記フィルタ機構５０の上側に前記空気排出口５２２が位置する。したがって、前記吸入モータ２０から排出された空気は、前記本体２の上方に排出される。
【００９７】
本実施例によると、掃除機１を用いて掃除する過程で、空気排出口５２２から排出された空気が使用者側に流動することが防止され得る。
【００９８】
前記本体２は、前記吸入モータ２０に流入する空気をフィルタリングするためのプレフィルタ２９をさらに含むことができる。前記プレフィルタ２９は、前記流動ガイド２２内に位置し得る。また、前記プレフィルタ２９は、前記上部モータハウジング２６に安着されて前記上部モータハウジング２６の一部を囲むことができる。すなわち、前記上部モータハウジング２６は、前記プレフィルタ２９を支持するためのフィルタ支持部を含むことができる。
【００９９】
図６は、本発明の一実施例に係る掃除機の分解斜視図であり、図７は、本発明の一実施例に係るボディとシーリング部材を示す図である。
【０１００】
図５ないし図７を参照すると、前記吸入部５と、前記ハンドル部３との間に前記本体２が配置され得る。そして、前記第１ボディ１０と前記第２ボディ１２は、一例として上下方向に配列され得る。
【０１０１】
前記第１ボディ１０と前記第２ボディ１２が結合された状態で、前記第１ボディ１０と前記第２ボディ１２との境界部位のシーリングのために、前記掃除機１は、シーリング部材１５と、前記シーリング部材１５を支持する支持ボディ１４とをさらに含むことができる。
【０１０２】
前記第１ボディ１０と前記第２ボディ１２それぞれは、上側および下側が開口され得る。すなわち、前記各ボディ１０、１２は、上側開口および下側開口を含むことができる。
【０１０３】
前記支持ボディ１４は、円筒形状に形成され得る。このとき、前記支持ボディ１４が前記第１ボディ１０の上側開口を介して前記第１ボディ１０に挿入されるように、前記支持ボディ１４の外径は、前記第１ボディ１０の内径と同一であるかまたは小さく形成され得る。
【０１０４】
また、前記支持ボディ１４が前記第２ボディ１２の下側開口を介して前記第２ボディ１２に挿入されるように、前記支持ボディ１４の外径は、前記第２ボディ１２の内径と同一であるかまたは小さく形成され得る。
【０１０５】
前記支持ボディ１４は、空気が通過するための開口１４２を含むことができる。
【０１０６】
前記シーリング部材１５は、前記支持ボディ１４の外周面を囲むように前記支持ボディ１４と結合し得る。一例として、前記シーリング部材１５は、インサート射出によって前記支持ボディ１４と一体に形成され得る。または、前記シーリング部材１５が接着剤によって前記支持ボディ１４の外周面に結合されることも可能である。
【０１０７】
前記支持ボディ１４は、前記支持ボディ１４の周りから円周方向に延びる第１安着溝１４３と、前記第１安着溝１４３から延びて前記第１安着溝１４３と高さが異なる位置に形成される第２安着溝１４５とを含むことができる。
【０１０８】
前記各安着溝１４３、１４５には、前記シーリング部材１５が安着され得る。
【０１０９】
前記第１安着溝１４３は、概ね前記支持ボディ１４の高さを二等分する地点に位置し得る。前記第２安着溝１４５は、前記開口１４２を迂回するように配置される。一例として、前記第２安着溝１４５は、前記開口１４２の下方に位置する。
【０１１０】
したがって、前記シーリング部材１５は、前記第１安着溝１４３に安着される第１部材１５１と、前記第１部材１５１と連続的に形成され、前記第２安着溝１４５に安着される第２部材１５２とを含むことができる。
【０１１１】
前記シーリング部材１５が前記安着溝１４３、１４５に安着された状態で、前記シーリング部材１５の一部は、前記支持ボディ１４から突出し得る。前記シーリング部材１５が前記支持ボディ１４を囲んだ状態で、前記支持ボディ１４から突出することによって、前記支持ボディ１４が前記第１ボディ１０および第２ボディ１２内に挿入されても前記シーリング部材１５が前記第１ボディ１０と前記第２ボディ１２との境界部に位置し得、シーリングが可能になる。
【０１１２】
前記各安着溝１４３、１４５には、前記シーリング部材１５の一部が位置するための固定孔１４６が形成され得る。前記シーリング部材１５の一部が前記固定孔１４６に挿入されると、前記支持ボディ１４の円周方向に前記シーリング部材１５が回転することが防止され得る。
【０１１３】
前記吸入部５は、前記本体２と連結されるパイプ５１と、前記パイプ５１を囲むパイプカバー５３と、前記パイプカバー５３の一部を囲んで前記パイプ５１に結合されるカバーテコ部材５５とを含むことができる。
【０１１４】
図８は、本発明の一実施例に係る第１ボディの斜視図であり、図９は、図８の第１ボディの正面図である。
【０１１５】
図８および図９を参照すると、前記第１ボディ１０は、前記第１ボディ１０の外面が内側に陥没した接触面を含むことができる。前記陥没した接触面には、後述するカバー部材（図２５の７０参照）が安着され得る。
【０１１６】
前記接触面は、ラウンドされた第１接触面１０１と、前記第１接触面１０１の両側に位置する平面の第２接触面１０２とを含むことができる。
【０１１７】
前記第１ボディ１０は、前記カバー部材（図２５の７０参照）が結合されるためのカバー結合フック１０４をさらに含むことができる。
【０１１８】
前記第１ボディ１０は、前記第２ボディ１２と結合するための第１結合部１０５をさらに含むことができる。
【０１１９】
前記第１結合部１０５は、前記第１ボディ１０の外面から突出することができ、前記第２ボディ１２との円滑な結合のために、前記第１結合部１０５の上面は下方に傾斜することができる。
【０１２０】
前記第１結合部１０５は、前記第１ボディ１０の上段から下側に所定距離離隔して配置され得る。前記第１ボディ１０には、前記第１結合部１０５の破損を防止するための一つ以上の補強リブが備えられ得る。
【０１２１】
前記カバー結合フック１０４は、前記第１結合部１０５の下側で前記第１結合部１０５から離隔して位置し得る。前記カバー結合フック１０４は、前記第１結合部１０５の下側に位置した状態で下方に延びることができる。
【０１２２】
前記第１接触面１０１の両側に平面の第２接触面１０２が配置されることによって、前記第１ボディ１０に前記カバー部材（図２５の７０参照）が結合された状態で、前記第１ボディ１０の外周面に沿って前記カバー部材（図２５の７０参照）が水平方向に回転することが防止され得る。
【０１２３】
前記第１ボディ１０には、前記カバー部材（図２５の７０参照）が結合された状態が安定的に維持されるようにするための一つ以上の移動防止リブ１０３が備えられ得る。
【０１２４】
一例として、前記カバー部材（図２５の７０参照）の上下および左右移動が防止されるように、前記第１ボディ１０には、複数の移動防止リブ１０３が備えられ得る。
【０１２５】
前記複数の移動防止リブ１０３は、前記第１ボディ１０の第１接触面１０１から突出することができ、水平方向および上下方向に離隔して配置され得る。
【０１２６】
一例として、水平方向に離隔した二つの移動防止リブ１０３は、互いに遠ざかる方向に延びることができる。
【０１２７】
前記複数の移動防止リブ１０３の少なくとも一部の移動防止リブ１０３の端部１０３ａは、前記第２接触面１０２から離隔した状態で前記第２接触面１０２と対向するように配置され得る。すなわち、前記移動防止リブ１０３の端部１０３ａと前記第２接触面１０２との間には空間が形成され得る。
【０１２８】
前記第１ボディ１０は、前記インナーハウジング６１０と締結されるためのハウジング締結部１０８をさらに含むことができる。前記ハウジング締結部１０８には、スクリューのような締結部材が締結され得る。
【０１２９】
前記ハウジング締結部１０８に前記締結部材が締結されるように、前記ハウジング締結部１０８の一部は、前記第１ボディ１０から外部に突出することができ、他の一部は、前記第１ボディ１０から内部に突出することができる。一例として、前記第１接触面１０１から前記ハウジング締結部１０８が外部および内部に突出することができる。
【０１３０】
前記締結部材が上下方向に前記ハウジング締結部１０８に締結されるように、前記ハウジング締結部１０８は、上下方向に延びることができる。
【０１３１】
前記ハウジング締結部１０８は、前記第１ボディ１０の下段から上方に離隔した位置に配置され得る。
【０１３２】
したがって、前記ハウジング締結部１０８に締結部材が締結され得るように、前記第１ボディ１０は、締結部材の移動のための空間を提供する陥没空間１０６と、前記陥没空間１０６で前記締結部材を案内する案内溝１０７とをさらに含むことができる。
【０１３３】
前記第１ボディ１０の上側部には、外面が内側に陥没する第１陥没面１１１が形成され得る。
【０１３４】
そして、前記第１陥没面１１１には、前記第２ボディ１２の一部が位置するための空間を提供するボディ収容部１１２が形成され得る。
【０１３５】
前記ボディ収容部１１２は、前記第１ボディ１０の上段が下方に陥没することによって形成され得る。
【０１３６】
前記第１ボディ１０は、前記パイプ５１との結合のためのパイプ結合部１１４（または吸入部結合部）をさらに含むことができる。前記パイプ結合部１１４は、前記第１ボディ１０から突出することができ、前記ボディ収容部１１２の下側に位置し得る。
【０１３７】
前記パイプ結合部１１４は、締結部材が締結されるための一つ以上の本体締結ボス１１６を含むことができる。
【０１３８】
前記ボディ収容部１１２には、前記シーリング部材１５が安着され得る。具体的に前記シーリング部材１５の第２部材１５２が前記ボディ収容部１１２に安着され得る。
【０１３９】
前記パイプ結合部１１４の上面には、前記ボディ収容部１１２に安着された前記第２部材１５２が前記支持ボディ１４から遠ざかる方向に移動することを防止する遮断リブ１１８が備えられ得る。前記シーリング部材１５の第２部材１５２はラウンドされるので、前記遮断リブ１１８が前記シーリング部材１５の第２部材１５２と接触できるように前記遮断リブ１１８はラウンドされ得る。
【０１４０】
したがって、前記シーリング部材１５の第１部材１５１は、前記第１ボディ１０の上段に安着され得、前記シーリング部材１５の第２部材１５２は、前記ボディ収容部１１２に安着され得る。
【０１４１】
前記第１陥没面１１１に位置した前記パイプ結合部１１４は、前記パイプ５１によってカバーされ得る。
【０１４２】
図１０は、本発明の一実施例に係る第２ボディの斜視図である。図１１は、本発明の一実施例に係る第２ボディの正面図である。
【０１４３】
図１０および図１１を参照すると、前記第２ボディ１２は、円筒部１２０を含むことができる。前記円筒部１２０の下側には、外面が内側に向かって陥没する第２陥没面１２０ａが形成され得る。
【０１４４】
前記第２ボディ１２は、前記円筒部１２０の第２陥没面１２０ａの下段から下方に延びる延長部１２１をさらに含むことができる。
【０１４５】
前記延長部１２１は、前記第１ボディ１０のボディ収容部１１２と対応する形状に形成され得る。前記延長部１２１は、前記第１ボディ１０のボディ収容部１１２に位置し得、前記シーリング部材１５の第２部材１５２に安着され得る。
【０１４６】
前記第２ボディ１２は、前記吸入部５を介して案内される空気が流入される吸入開口１２２を含むことができる。
【０１４７】
前記吸入開口１２２は、前記第２陥没面１２０ａで前記円筒部１２０および前記延長部１２１に形成され得る。
【０１４８】
前記延長部１２１を前記円筒部１２０から下方に延長させ、前記吸入開口１２２の一部が前記延長部１２１に形成されるようにする理由は、前記第１ボディ１０と前記第２ボディ１２の高さの差が大きく出ず、前記吸入部５が前記本体２の高さを基準に、中間部分に位置するようにするためである。
【０１４９】
このような構造によると、前記吸入部５の長手方向の軸Ａ１が前記吸入モータ２０と前記第２サイクロン部１９０との間に位置し得る。
【０１５０】
もし、前記吸入部５の長手方向の軸Ａ１が前記吸入モータ２０を貫通する場合には、前記吸入モータ２０の周りの空気を第１サイクロン部１８０に案内するための流路が形成されなければならないので、前記本体２の直径が大きくなるという問題がある。
【０１５１】
反面、前記吸入部５の長手方向の軸Ａ１の高さが低くなるほど、前記第１サイクロン部１８０の高さが減ることになって埃分離性能が低下するという問題がある。
【０１５２】
したがって、本発明によると、前記吸入部５の長手方向の軸Ａ１が前記吸入モータ２０と前記第２サイクロン部１９０との間に位置するので、埃分離性能が維持されながら、前記本体２の直径や大きさが大きくなることが防止され得る。
【０１５３】
前記第２ボディ１２は、空気を前記吸入開口１２２に案内する吸入ガイド１２４をさらに含むことができる。前記吸入ガイド１２４は、前記第２ボディ１２から接線方向に突出することができる。
【０１５４】
前記吸入ガイド１２４には、前記パイプ５１との結合のための係止突起１２６が形成され得る。
【０１５５】
また、前記第２ボディ１２には、前記パイプ５１と締結部材によって締結されるための本体締結ボス１３０とが備えられ得る。
【０１５６】
また、前記第２ボディ１２には、前記パイプ５１と電気的に連結されるための第１端子１３９が設けられる端子設置部１３１と、本体電線が通過するための電線通過孔１２８とが備えられ得る。前記電線通過孔１２８は、示されていないパッキングによってカバーされ得、本体電線がパッキングを通過することができる。このとき、前記第１端子１３９は、前記吸入部５に連結される延長管の端部に連結された吸入ノズルが駆動部を備える場合、前記駆動部に電源を供給する電源供給用端子である。
【０１５７】
または、前記駆動部を備える吸入ノズルが直接前記吸入部５に連結され得、この場合にも前記吸入ノズルの駆動部が前記吸入部端子によって前記バッテリー４０から電源の供給を受けることができる。
【０１５８】
前記パイプ５１が前記本体締結ボス１３０と結合すると、前記第２陥没面１２０ａに位置した前記吸入開口１２２、吸入ガイド１２４、本体締結ボス１３０および端子設置部１３１、電線通過孔１２８は、前記パイプ５１によってカバーされる。
【０１５９】
前記第２ボディ１２は、前記吸入開口１２２の反対側から前記第２ボディ１２の下方に延びる第２結合部１３２をさらに含むことができる。
【０１６０】
前記第２結合部１３２には、前記第１ボディ１０の第１結合部１０５が挿入されるための結合孔１３３が形成され得る。
【０１６１】
また、前記第２ボディ１２には、前記吸入モータ２０に電源を供給するための本体電線が通過する電線通過孔１３４が備えられ得る。前記電線通過孔１３４は、パッキング（図１３の１３８参照）によってカバーされ得、本体電線がパッキング（図１３の１３８参照）を通過することができる。
【０１６２】
前記第２ボディ１２は、コネクター支持部１３６をさらに含むことができる。前記コネクター支持部１３６は、前記電線通過孔１３４の上方に位置し得る。
【０１６３】
前記第２ボディ１２は、前記ハンドル部３と締結のための第１ハンドル結合部を含むことができる。前記第１ハンドル結合部は、第１リブ結合部１３９ａと、第２リブ結合部１３９ｂとを含むことができる。
【０１６４】
一例として、前記第２ボディ１２は、上下に離隔する複数の第１リブ結合部１３９ａを含むことができる。または、前記第２ボディ１２は、水平方向に離隔する複数の第１リブ結合部１３９ａを含むことができる。
【０１６５】
または、前記第２ボディ１２は、水平方向および左右方向に離隔する複数の第１リブ結合部１３９ａを含むことができる。
【０１６６】
前記各第１リブ結合部１３９ａは、前記第２ボディ１２から水平方向に延びた後に上方に折り曲がって形成され得る。したがって、前記第１リブ結合部１３９ａの一部と前記第２ボディ１２との間には空間が形成され得る。したがって、前記ハンドル部３が上側から下方に移動する過程で、前記ハンドル部３の一部が前記空間に位置し得る。
【０１６７】
図１２は、第１ボディと第２ボディが結合された状態を示す本体の正面図であり、図１３は、第１ボディと第２ボディが結合された状態を示す本体の後面斜視図である。
【０１６８】
図６ないし図１３を参照すると、前記支持ボディ１４にシーリング部材１５が結合された状態で、前記支持ボディ１４で前記シーリング部材１５の下側の部分を前記第１ボディ１０に収容させることができる。
【０１６９】
すると、前記シーリング部材１５の第１部材１５１が前記第１ボディ１０の上段に安着され、前記シーリング部材１５の第２部材１５２が前記第１ボディ１０のボディ収容部１１２に安着される。
【０１７０】
この状態で、前記第１ボディ１０の上側で前記第２ボディ１２を前記第１ボディ１０に結合させる。
【０１７１】
すると、前記支持ボディ１４で前記シーリング部材１５の上側部分が前記第２ボディ１２に収容され、前記第２ボディ１２の第２結合部１３２が前記第１ボディ１０の第１結合部１０５と結合する。そして、前記第２ボディ１２の下段は、前記シーリング部材１５に安着される。このとき、前記第２ボディ１２が前記第１ボディ１０に結合された状態で、前記第２ボディ１２と前記第１ボディ１０は前記シーリング部材１５を加圧する。
【０１７２】
前記第２結合部１３２が前記第１結合部１０５と結合した状態で、前記第２結合部１３２が前記シーリング部材１５の外側に位置する。したがって、前記シーリング部材１５の一部が前記支持ボディ１４の外側に分離されることが防止され得る。
【０１７３】
また、前記第２ボディ１２が前記第１ボディ１０に結合されると、前記第２ボディ１２の吸入開口１２２と前記支持ボディ１４の開口１４２が整列される。
【０１７４】
そして、前記第１ボディ１０と前記第２ボディ１２が結合された状態で、前記吸入部５を前記第１ボディ１０および前記第２ボディ１２それぞれと結合させることができる。
【０１７５】
本実施例に係ると、埃貯蔵空間を形成する第１ボディ１０と、吸入モータ２０を収容する第２ボディ１２が別途の物品で製造されて互いに結合されるので、各ボディの構造が簡単になり得る。
【０１７６】
また、本発明によると、第１ボディ１０と第２ボディ１２の結合時、第１ボディ１０と第２ボディ１２との境界部位にシーリング部材１５が備えられることによって、シーリングが維持され得る。
【０１７７】
前記第１ボディ１０と前記第２ボディ１２の結合前または結合後、前記コネクター支持部１３６にコネクティング端子３４９ａを設けることができ、前記電線通過孔１３４にパッキング１３８を設けることができる。このとき、前記コネクティング端子３４９ａは、前記吸入モータ２０に制御信号を伝達するための信号端子を含むことができる。
【０１７８】
図１４は、本発明の一実施例に係る吸入部の斜視図であり、図１５は、本発明の一実施例に係る吸入部の分解斜視図であり、図１６は、本発明の吸入部が本体に結合される様子を示す図である。
【０１７９】
図６ないし図１５を参照すると、前記パイプ５１は、前記本体２に連結されるための本体連結部５１０と、前記本体連結部５１０で延びて空気を前記本体２に案内する案内管５２０とを含むことができる。
【０１８０】
前記案内管５２０には、示されていないが、吸入ノズルに連結された延長管が結合され得る。または、前記案内管５２０に吸入ノズルが直接結合され得る。
【０１８１】
前記本体連結部５１０は、前記案内管５２０と連通されて空気流動のための案内ダクト５１４を含むことができる。前記案内ダクト５１４の枠には、前記吸入ガイド１２４の端部が挿入されるための挿入溝５１５が備えられ得る。
【０１８２】
前記案内ダクト５１４には、開閉部５２６が備えられ得る。前記開閉部５２６は、前記案内ダクト５１４に回転可能に連結され得る。
【０１８３】
前記開閉部５２６は、前記吸入モータ２０がオンされた状態では、前記案内ダクト５１４と前記吸入開口１２２とを連通させ、前記吸入モータ２０がオフされた状態では前記案内ダクト５１４と前記吸入開口１２２との連通を遮断する。
【０１８４】
前記案内ダクト５１４のヒンジ軸には弾性部材（図示せず）が連結され得る。前記吸入モータ２０がオフされた状態では、前記弾性部材（図示せず）の弾性力によって前記開閉部５２６が前記案内ダクト５１４と前記吸入開口１２２との連通が遮断される。
【０１８５】
前記開閉部５２６が前記案内ダクト５１４と前記吸入開口１２２との連通を遮断させた状態では、前記掃除機１が転覆しても前記ダストボックス１８２内に貯蔵された埃が前記案内ダクト５１４を介して外部に排出されることが防止され得る。
【０１８６】
前記本体連結部５１０は、前記本体２と電気的に連結されるための第２端子５２８が設けられる端子設置部５１７を含むことができる。
【０１８７】
また、前記本体連結部５１０は、締結部材によって前記各ボディ１０、１２の本体締結ボス１１６、１３０に締結されるためのパイプ締結ボス５１６をさらに含むことができる。
【０１８８】
前記本体連結部５１０は、前記吸入ガイド１２４の係止突起１２６が係止されるための係止孔５１２をさらに含むことができる。
【０１８９】
前記パイプ５１を前記本体２に結合させるためには、先に前記パイプ５１を前記本体２の前方に位置させた状態で前記パイプ５１を水平方向に移動させて、前記係止突起１２６が前記本体連結部５１０の係止孔５１２に係止されるようにする。すると、前記案内ダクト５１４の挿入溝５１５に前記吸入ガイド１２４が挿入され、前記本体締結ボス１１６、１３０と前記パイプ締結ボス５１６が整列され得る。
【０１９０】
この状態で、前記パイプ５１の前方で締結部材を前記パイプ締結ボス５１６および本体締結ボス１１６、１３０に締結すると、前記パイプ５１が前記本体２に固定され得る。
【０１９１】
そして、前記パイプ５１に備えられる第２端子５２８は、前記第２ボディ１２に設けられた第１端子１３９と電気的に連結される。すなわち、本発明によると、二つの端子を使用者が直接連結せずに前記パイプ５１を前記本体２に連結する過程で自動的に連結され得るので、使用者の便宜性が向上し得る。本発明において、第１端子１３９と前記第２端子５２８を吸入ノズル用端子と称することができる。
【０１９２】
前記パイプ５１が前記本体２に固定された状態で、前記パイプ５１と前記シーリング部材１５の第２部材１５２との干渉が防止されるように、前記パイプ５１には干渉防止溝５１８が備えられ得る。
【０１９３】
前記パイプカバー５３は、前記パイプ５１が前記本体２に結合された状態で前記パイプ５１をカバーすることができる。
【０１９４】
前記パイプカバー５３は、前記案内管５２０が貫通するための貫通孔５３１を含むことができる。前記パイプカバー５３で前記貫通孔５３１の周りには、前記カバーテコ部材５５が設けられる設置部５３２が備えられ得る。そして、前記設置部５３２には、前記カバーテコ部材５５に備えられるフック５５３が通過するスロット５３４が形成され得る。
【０１９５】
前記カバーテコ部材５５は、前記案内管５２０が貫通するための貫通孔５５２を備えるボディ５５１と、前記ボディ５５１から延びるフック５５３とを含むことができる。
【０１９６】
前記パイプカバー５３が前記パイプ５１をカバーした状態で、前記カバーテコ部材５５を前記設置部５３２に安着させると、前記カバー縁鼻部材５５のフック５５３が前記パイプカバー５３のスロット５３４を貫通し、前記案内管５２０に備えられるフック係止突起５２４に係止される。
【０１９７】
そして、前記カバーテコ部材５５が前記パイプ５１に結合されると、前記パイプカバー５３の枠は、前記第１ボディ１０の第１陥没面１０１の端部および前記第２ボディ１２の第２陥没面１２０ａの端部に接触する。
【０１９８】
前記パイプカバー５３が前記パイプ５１をカバーした状態で、前記シーリング部材１５の第１部材１５１は外部に露出し、前記第２部材１５２は外部露出が防止される。すなわち、前記吸入部５は、前記二つのボディ１０、１２の境界部位の一部分をカバーする。
【０１９９】
本発明において、前記吸入部５が前記本体２に結合される方向は、第１結合方向と称することができる。このとき、前記第１結合方向は、一例として水平方向であり得る。
【０２００】
図１７は、本発明の一実施例に係る吸入モータが本体に収容される様子を示す図である。
【０２０１】
図５および図１７を参照すると、前記本体２に前記吸入部５が連結された状態で、前記吸入モータ２０を前記本体２の上側開口を介して前記本体２内に収容させることができる。
【０２０２】
前記吸入モータ２０が前記本体２の上側開口を介して前記本体２内に挿入されるために前記吸入モータ２０の最大直径は、前記本体２の上側開口より小さく形成され得る。
【０２０３】
前記吸入モータ２０のインペラ２００が上方を向く状態で、前記吸入モータ２０の下側にモータ制御基板２０４が連結され得る。
【０２０４】
前記吸入モータ２０の下側にモータ制御基板２０４が設けられた状態で、前記吸入モータ２０を前記本体２に収容させることができる。このとき、前記モータ制御基板２０４が水平に置かれた状態で、前記モータ制御基板２０４が前記吸入モータ２０の下側に連結され得る。
【０２０５】
前記モータ制御基板２０４が前記本体２の上側開口を介して前記本体２内に挿入されるために前記モータ制御基板２０５の最大直径は、前記本体２の上側開口より小さく形成され得る。
【０２０６】
前記吸入モータ２０は、図５で説明した下部モータハウジング２７に安着され得る。
【０２０７】
もし、前記下部モータハウジング２７が前記第２ボディ１２と一体に形成される場合には、前記吸入モータ２０を直ちに前記下部モータハウジング２７に安着させることができる。一方、前記下部モータハウジング２７が前記第２ボディ１２と別途の物品で形成される場合には、前記下部モータハウジング２７を先に前記第２ボディ１２に連結した後に前記吸入モータ２０を前記下部モータハウジング２７に安着させることができる。
【０２０８】
このとき、前記下部モータハウジング２７が前記モータ制御基板２０５と前記吸入モータ２０の一部を収容した状態で前記吸入モータ２０が前記下部モータハウジング２７に安着され得る。
【０２０９】
したがって、前記下部モータハウジング２７の開口の最小直径は、前記モータ制御基板２０５の最大直径および前記吸入モータ２０の最大直径より大きく形成され得る。
【０２１０】
図１８は、本発明の一実施例に係る上部モータハウジングが本体に収容される様子を示す図である。
【０２１１】
図５および図１８を参照すると、前記吸入モータ２０が前記本体２に装着された状態で、前記上部モータハウジング２６を前記本体２の上側開口を介して前記本体２内に収容させることができる。
【０２１２】
前記上部モータハウジング２６が前記本体２の上側開口を介して前記本体２内に挿入されるために前記上部モータハウジング２６の最大直径は、前記本体２の上側開口より小さく形成され得る。
【０２１３】
前記上部モータハウジング２６は、前記本体２に収容された状態で前記吸入モータ２０を囲むことができる。そして、前記上部モータハウジング２６は、前記下部モータハウジング２７に安着され得る。
【０２１４】
前記上部モータハウジング２６が前記吸入モータ２０を囲むことができるように、前記上部モータハウジング２６の内径は、前記吸入モータ２０の外径より大きく形成され得る。
【０２１５】
前記上部モータハウジング２６は、空気が通過するための通過部２６２を含むことができる。前記第２サイクロン部１９０から排出された空気が前記通過部２６２を通過することができる。
【０２１６】
前記上部モータハウジング２６は、前記下部モータハウジング２７との締結のための一つ以上の締結部２６４を含むことができる。
【０２１７】
図１９は、本発明の一実施例に係る流動ガイドが本体に収容される様子を示す図である。
【０２１８】
図５および図１９を参照すると、前記本体２に前記上部モータハウジング２６が装着された状態で、前記流動ガイド２２を前記本体２の上側開口を介して前記本体２内に収容させることができる。このとき、前記流動ガイド２２が前記本体２内に収容された状態で、前記流動ガイド２２は前記上部モータハウジング２６に安着され得る。
【０２１９】
前記流動ガイド２２は、上部および下部が開口され得る。前記流動ガイド２２は、前記第２サイクロン部１９０から排出された空気が流動される前記第１空気流路２３２を形成するための流路形成壁２２０を含むことができる。
【０２２０】
前記流路形成壁２２０は、前記流動ガイド２０の一部が半径方向に突出することによって形成され得る。このとき、空気が円滑に流動することができるように、前記流動ガイド２２は、円周方向に離隔する複数の流路形成壁２２０を含むことができる。
【０２２１】
前記流動ガイド２２の内部に前記吸入モータ２０が位置するが、前記本体２の大きさが増加しないためには前記流動ガイド２２と前記吸入モータ２０とのギャップが大きくてはならない。しかし、前記流動ガイド２２と前記吸入モータ２０とのギャップが大きくなければ、空気流動性能が低下するという問題がある。
【０２２２】
しかし、本発明のように前記流路形成壁２２０が突出した形態で存在すると、前記流路形成壁２２０によって空気が流動できる流路の断面積が十分に確保されて空気流動性能が向上し得る。
【０２２３】
前記流動ガイド２２の内部に前記吸入モータ２０が位置するために、前記流動ガイド２２の上側開口および下側開口の直径は、前記吸入モータ２０の外径より大きく形成され得る。
【０２２４】
また、前記流動ガイド２２が前記上部モータハウジングを囲むことができるように、前記流動ガイド２２の上側開口および下側開口の直径は、前記上部モータハウジングの外径より大きく形成され得る。
【０２２５】
前記流動ガイド２２は、前記プレフィルタ２９が安着されるためのフィルタ支持部２２６をさらに含むことができる。
【０２２６】
また、前記流動ガイド２２は、前記モータハウジング２６、２７との締結のための締結部２２２を含むことができる。
【０２２７】
前記締結部２２２は、前記上部モータハウジング２６に安着され得る。この状態で、締結部材が上方から前記締結部２２２を貫通した後に前記上部モータハウジング２６、前記下部モータハウジング２７および排出ガイド２８に締結され得る。
【０２２８】
また、前記流動ガイド２２は、前記フィルタ機構５０との結合のための固定リブ２２４をさらに含むことができる。前記フィルタ機構５０の回転過程で前記フィルタ機構５０の高さが可変するように、前記固定リブ２２４は、前記流動ガイド２２の円周方向に延び、傾斜するように延びることができる。
【０２２９】
図２０は、本発明の一実施例に係るプレフィルタが本体に収容される様子を示す図である。
【０２３０】
図５、図１９および図２０を参照すると、前記プレフィルタ２９は、取っ手２９ａを含むことができる。前記取っ手２９ａを把持した状態で、前記プレフィルタ２９を前記本体２の上側開口を介して前記本体２に収容させることができる。
【０２３１】
このとき、前記プレフィルタ２９は、前記流動ガイド２２の内部に収容され、前記流動ガイド２２のフィルタ支持部２２６に安着され得る。
【０２３２】
前記プレフィルタ２９が前記流動ガイド２２に収容されるために前記プレフィルタ２９の外径は、前記流動ガイド２２の内径より小さく形成され得る。
【０２３３】
図２１は、本発明の一実施例に係るフィルタ機構が本体に連結される様子を示す図であり、図２２は、本発明の一実施例に係るフィルタ機構の下部斜視図である。
【０２３４】
図２１および図２２を参照すると、前記フィルタ機構５０は、前記吸入モータ２０から排出された空気をフィルタリングするための排気フィルタ５６０と、前記排気フィルタ５６０を支持するフィルタフレームとをさらに含むことができる。
【０２３５】
前記排気フィルタ５６０は、一例としてヘパフィルタ（ｈｉｇｈ  ｅｆｆｉｃｉｅｎｃｙ  ｐａｒｔｉｃｕｌａｔｅ  ａｉｒ  ｆｉｌｔｅｒ：ＨＥＰＡフィルタ）であり得る。
【０２３６】
前記フィルタ機構５０が前記本体２に連結された状態で、前記掃除機１の高さが増加することが防止されるように前記排気フィルタ５６０は、前記流動ガイド２２を囲むように配置され得る。すなわち、前記排気フィルタ５６０は、一例としてリング形状に形成され得、前記排気フィルタ５６０が形成する領域内に前記流動ガイド２２の一部が位置し得る。
【０２３７】
前記排気フィルタ５６０と前記プレフィルタ２９は、前記第２ボディ１２が形成する領域に共に位置し得る。すなわち、同じボディ内に前記排気フィルタ５６０と前記プレフィルタ２９が共に収容され得る。
【０２３８】
前記排気フィルタ５６０と前記プレフィルタ２９が前記第２ボディ１２内に位置するとき、高さが増加することが防止されるように、前記排気フィルタ５６０が形成する領域に前記プレフィルタ２９の少なくとも一部が収容され得る。すなわち、前記排気フィルタ５６０は、前記プレフィルタ２９を囲むことができる。
【０２３９】
このような構造によって前記第１サイクロン部１１０のサイクロン流動の軸は、前記プレフィルタ２９および前記フィルタ機構５０を貫通することができる。一例として、前記サイクロン流動の軸は、前記排気フィルタ５６０が形成する領域を貫通することができる。すなわち、前記第１サイクロン部１８０のサイクロン流動の軸は、リング形状の排気フィルタ５６０の中央開口を貫通することができる。
【０２４０】
前記フィルタフレームは、前記第２ボディ１２と前記流動ガイド２２との間に挿入された状態で、前記流動ガイド２２の固定リブと結合し得る。
【０２４１】
前記フィルタフレームは、インナーフレーム５０１と、前記インナーフレーム５０１を囲むように配置されるアウターフレーム５４０とを含むことができる。
【０２４２】
前記インナーフレーム５０１の外周面と前記アウターフレーム５４０の内周面は離隔し、前記インナーフレーム５０１と前記アウターフレーム５４０との間に前記排気フィルタ５６０が位置し得る。
【０２４３】
前記フィルタフレームは、前記排気フィルタ５６０の下側をカバーするフィルタカバー５７０をさらに含むことができる。前記フィルタカバー５７０は、前記吸入モータ２０から排出された空気が通過する空気開口５７２を含むことができる。
【０２４４】
前記フィルタフレームは、前記流動ガイド２２の固定リブ２２４が収容されるためのリブ収容部５７４をさらに含むことができる。
【０２４５】
前記リブ収容部５７４は、前記フィルタカバー５７０に備えられるリブ支持部５７７と、前記インナーフレーム５０１に形成される陥没部５０１ａによって形成され得る。
【０２４６】
前記固定リブ２２４が前記リブ収容部５７４に収容されるために、前記リブ収容部５７４は、前記フィルタフレームの円周方向に沿って延び、傾斜するように延びることができる。
【０２４７】
前記フィルタ機構５０は、前記フィルタ機構５０が前記本体２に結合された状態で、前記フィルタ機構５０と前記本体２のシーリングのためのシーリング部材５３０、５８０とをさらに含むことができる。
【０２４８】
前記シーリング部材５３０、５８０は、前記流動ガイド２２の外周面と前記インナーフレーム５０１の内周面との間の隙間に空気が漏れることを防止するためのインナーシーリング部材５３０を含むことができる。
【０２４９】
また、前記シーリング部材５３０、５８０は、前記第２空気流路２３４の空気が前記排気フィルタ５６０を通過せずに、前記アウターフレーム５４０と前記第２ボディ１２との間の隙間に流動されることを防止するためのアウターシーリング部材５８０とをさらに含むことができる。
【０２５０】
前記インナーシーリング部材５３０は、前記インナーフレーム５０１に結合され得、前記アウターシーリング部材５８０は、前記フィルタカバー５７０に結合され得る。
【０２５１】
前記アウターシーリング部材５８０は、前記第２ボディ１２の内周面に形成された支持面１２５に安着され得る。前記インナーシーリング部材５３０は、前記流動ガイド２２の上段に安着され得る。
【０２５２】
図２３は、本発明の一実施例に係るフィルタ機構が流動ガイドに結合される前の状態を示す図であり、図２４は、本発明の一実施例に係るフィルタ機構が流動ガイドに結合された状態を示す図である。
【０２５３】
図２３および図２４を参照して、前記フィルタ機構５０の結合過程について説明する。
【０２５４】
前記フィルタ機構５０を前記本体２に結合させるために、前記フィルタ機構５０の下側の一部を前記第２ボディ１２に収容させる。
【０２５５】
すると、前記フィルタ機構５０のリブ収容部５７４と前記固定リブ２２４が整列され得る。
【０２５６】
この状態で、前記フィルタ機構５０を一方向に回転させると、前記固定リブ２２４が前記リブ収容部５７４に収容される。このとき、前記固定リブ２２４が前記リブ収容部５７４に容易に収容されるために、前記リブ収容部５７４の高さは、前記固定リブ２２４の高さより高く形成され得る。
【０２５７】
前記固定リブ２２４が傾斜するように延びるので、前記フィルタ機構５０の回転過程で前記フィルタ機構５０は、前記固定リブ２２４によって下降するようになる。
【０２５８】
一方、前記フィルタ機構５０を前記本体２から分離させるために、前記フィルタ機構５０を他方向に回転させることができる。このとき、前記固定リブ２２４が傾斜するように形成されるので、前記フィルタ機構５０の回転過程で前記フィルタ機構５０は前記固定リブ２２４によって上昇するようになる。そして、前記固定リブ２２４が前記リブ収容部５７４から抜けると、前記フィルタ機構５０と前記本体２との結合が解除される。
【０２５９】
この状態で、前記フィルタ機構５０を上方に移動させると、前記フィルタ機構５０が前記本体２から分離され得る。
【０２６０】
図２５および図２６は、本発明の一実施例に係るカバー部材の斜視図である。
【０２６１】
図８、図２５および図２６を参照すると、前記カバー部材７０は、前記第１ボディ１０の外面に接触するカバーボディ７１０を含むことができる。
【０２６２】
前記カバーボディ７１０は、前記第１接触面１０１に接触する第１カバーボディ７１１と、前記第１カバーボディ７１１の両側に位置して前記第２接触面１０２に接触する第２カバーボディ７１２とを含むことができる。
【０２６３】
前記第１カバーボディ７１１が前記第１接触面１０１に接触するために、前記第１カバーボディ７１１はラウンド面を含むことができる。
【０２６４】
前記第２カバーボディ７１２が前記第２接触面１０２に接触するために、前記第２カバーボディ７１２は平面を含むことができる。
【０２６５】
前記カバーボディ７１０は、前記第２ボディ１２の第２結合部１３２が位置するための収容空間７１３をさらに含むことができる。前記収容空間７１３は、前記カバーボディ７１０の上側の中央部に形成される。
【０２６６】
前記カバーボディ７１０は、前記カバー結合フック１０４が貫通するためのスロット７１４と、前記スロット７１４を貫通した前記カバー結合フック１０４が係止されるためのフック係止部７１５とをさらに含むことができる。
【０２６７】
前記スロット７１４は、前記収容空間７１３の下側に位置する。したがって、本発明によると、前記カバー結合フック１０４は、前記収容空間７１３を通って前記スロット７１４を貫通して前記フック係止部７１５に係止され得る。そして、前記第２ボディ１２の第２結合部１３２は、前記カバーボディ７１０に干渉されずに前記収容空間７１３に位置し得る。
【０２６８】
前記収容空間７１３は、前記カバーボディ７１０の両段部から離隔した位置に配置される空間であるので、前記第２ボディ１２の第２結合部１３２が前記収容空間７１３に位置すると、前記第２結合部１３２によって前記カバーボディ７１０の水平方向移動が防止され得る。
【０２６９】
前記カバーボディ７１０は、前記第１ボディ１０の移動防止リブ１０３が収容されるためのリブ収容空間７１８と、前記リブ収容空間７１８に位置した移動防止リブ１０３が前記第１ボディ１０から半径方向に遠ざかる方向に移動することを制限するための制限リブ７１９と、前記リブ収容空間７１８に収容された前記移動防止リブ１０３を支持するリブ支持面７２０とをさらに含むことができる。
【０２７０】
前記制限リブ７１９は、前記リブ収容空間７１８の入口７１８ａの下側に位置し得る。
【０２７１】
前記カバーボディ７１０は、前記ハンドル部３と結合するための第２ハンドル結合部７２１をさらに含むことができる。
【０２７２】
前記第２ハンドル結合部７２１は、前記カバーボディ７１０から水平方向に延びる第１延長部７２２と、前記第１延長部７２２から上方に延びる第２延長部７２３とを含むことができる。
【０２７３】
前記第２延長部７２３の少なくとも一部は、前記カバーボディ７１０の第１面と対向するように配置され得る。
【０２７４】
本発明において、前記カバーボディ７１０で前記第１ボディ１０と接触する面を第２面といい、前記第２面の反対面を第１面ということができる。
【０２７５】
したがって、前記第２延長部７２３と前記カバーボディ７１０の第１面との間には、挿入開口７２４が形成される。
【０２７６】
前記挿入開口７２４には、後述する前記ハンドル部３の挿入リブ（図３２の３０２）が挿入され得る。
【０２７７】
前記カバーボディ７１０は、本体端子（図２７の８０参照）が結合されるための端子結合部７１６を含むことができる。前記端子結合部７１６は、水平方向に離隔する複数の結合リブ７１６ａを含むことができ、前記各結合リブ７１６ａには、前記本体端子８０が結合されるための結合孔７１６ｂが形成され得る。
【０２７８】
したがって、前記本体端子８０は、前記複数の結合リブ７１６ａの間に位置した状態で前記結合孔７１６ｂに結合され得る。
【０２７９】
前記本体端子８０が前記結合孔７１６ｂに結合されると、前記ハンドル部３のハンドル端子９０が前記本体端子８０に結合される過程で、前記本体端子８０が下側に弛むことが防止され得る。
【０２８０】
このとき、前記複数の結合リブ７１６ａの上下の長さは、前記本体端子８０の上下長さより長く形成され得る。これは後述する前記ハンドル端子（図３３の９０参照）が前記本体端子８０に結合される過程で、前記複数の結合リブ７１６ａが前記ハンドル端子（図３３の９０参照）と前記本体端子８０との結合をガイドするためである。
【０２８１】
前記カバーボディ７１０は、前記本体端子８０を支持するための端子支持部７１６ｃをさらに含むことができる。前記端子支持部７１６ｃは、一例として前記複数の結合リブ７１６ａの下面を連結することができる。
【０２８２】
前記本体端子８０が前記端子支持部７１６ｃに支持された状態で、前記ハンドル部３のハンドル端子９０が前記本体端子８０に結合される過程で、前記本体端子８０下下側に弛むことが防止され得る。
【０２８３】
前記カバーボディ７１０は、前記複数の本体電線（図３１の１７１、１７２参照）を案内するための一つ以上の案内リブをさらに含むことができる。
【０２８４】
前記一つ以上の案内リブは、上部案内リブ７２８と、下部案内リブ７２８ａとを含むことができる。
【０２８５】
前記カバーボディ７１０は、前記第１ボディ１０のハウジング締結部１０８との干渉を防止するために前記ハウジング締結部１０８が位置する締結部収容溝７２６をさらに含むことができる。
【０２８６】
また、前記カバーボディ７１０は、前記ハンドル部３のハンドルフック（図３２の３０３参照）が結合されるためのハンドルフック結合部７１７をさらに含むことができる。
【０２８７】
図２７は、本発明の一実施例に係る本体端子を示す斜視図である。
【０２８８】
図２７を参照すると、前記本体端子８０は、端子ハウジング８１０を含むことができる。前記端子ハウジング８１０は上側が開口され得る。
【０２８９】
前記端子ハウジング８１０の両側には、前記各結合リブ７１６ａの結合孔７１６ｂに結合されるための結合突起８２４が形成され得る。
【０２９０】
前記端子ハウジング８１０には、第１下部電源端子８２１と、第２下部電源端子８２２とが配置され得る。前記各下部電源端子８２１、８２２は、一対の端子ピンを含むことができる。前記各下部電源端子８２１、８２２の端子ピンは、水平方向に離隔した状態で一列に配置され得る。
【０２９１】
前記第１下部電源端子８２１は、一例として前記吸入モータ２０と連結され得る。前記第２下部電源端子８２２は、一例として前記第１端子１３９に連結され得る。
【０２９２】
本実施例に係ると、制御信号を伝達する信号端子と電源供給のための制御端子が分離され、前記本体端子８０が電源端子８２１、８２２を有することによって、前記本体端子８０の大きさが大きくなることが防止され得る。
【０２９３】
図２８は、本発明の一実施例に係るカバー部材が本体に結合される前の状態を示す縦断面図であり、図２９は、カバー部材が本体に結合された状態を示す縦断面図であり、図３０は、本発明の一実施例に係るカバー部材が本体に結合された状態を示す横断面図である。
【０２９４】
図２６ないし図３０を参照すると、前記カバー部材７０を前記第１ボディ１０に結合させるために、前記第１ボディ１０の移動防止リブ１０３を前記カバーボディ７１０のリブ収容空間７１８の入口７１８ａと整列させる。
【０２９５】
この場合、前記第２ボディ１２の第２結合部１３２の一部が前記カバーボディ７１０の収容空間７１３に位置する。
【０２９６】
この状態で、前記カバーボディ７１０を前記第１ボディ１０と接触させる。すなわち、前記第１カバーボディ７１１が前記第１ボディ１０の第１接触面１０１と接触し、前記第２カバーボディ７１２が前記第２ボディ１２の第２接触面１０２と接触する。そして、前記第１ボディ１０の移動防止リブ１０３は、前記リブ収容空間７１８内に収容される。
【０２９７】
この状態で図２９のように、前記カバー部材７０を上方に移動させる。すると、前記第１ボディ１０の移動防止リブ１０３が前記リブ支持面７２０に安着され、前記カバー結合フック１０４が前記カバーボディ７１０のスロット７１４を貫通して前記フック係止部７１５に係止される。
【０２９８】
前記カバー結合フック１０４が前記フック係止部７１５に係止された状態では、前記カバー部材７０が下方に移動することが防止され得る。
【０２９９】
また、前記第１ボディ１０の移動防止リブ１０３が前記リブ支持面７２０に安着された状態で、前記カバー部材７０は、前記移動防止リブ１０３によって上方に移動することが防止される。
【０３００】
また、前記制限リブ７１９は、前記第１ボディ１０の第２接触面１０２と前記移動防止リブ１０３との間に位置するので、前記カバー部材７０が前記第１ボディ１０の半径方向の外側に移動することが防止され得る。
【０３０１】
図３１は、カバー部材に本体端子が設けられた状態を示す図である。
【０３０２】
図３１を参照すると、前記カバー部材７０が前記本体２、すなわち、前記第１ボディ１０に設けられた後または設けられる前に前記本体端子８０を前記カバー部材７０に結合させることができる。
【０３０３】
そして、前記本体端子８０に前記複数の本体電線１７１、１７２が連結され得る。
【０３０４】
このとき、前記複数の本体電線１７１、１７２は、前記案内リブ７２８、７２８ａによって位置がガイドされ、前記本体端子８０の下側で前記本体端子８０に連結され得る。
【０３０５】
前記複数の本体電線１７１、１７２は、前記吸入モータ２０に電源を供給するために前記モータ制御基板２０４に連結される一対の第１本体電線１７１と、前記第１端子１３９と連結される一対の第２本体電線１７２とを含むことができる。
【０３０６】
本発明によると、前記カバーボディ７１０の第１面に前記端子結合部７１６が備えられ、前記本体端子８０が前記端子結合部７１６に結合されることによって、前記複数の本体電線１７１、１７２が前記本体端子８０の下面に連結された状態で、前記複数の本体電線１７１、１７２および前記本体端子８０と前記第１ボディ１０との間に前記カバーボディ７１０が位置する。
【０３０７】
したがって、前記第１ボディ１０が透明または半透明に形成されても前記第１ボディ１０の外部から前記複数の本体電線１７１、１７２および前記本体端子８０が見えることが防止され得る。
【０３０８】
図３２は、本発明の一実施例に係るハンドル部の斜視図である。
【０３０９】
図１０および図３２を参照すると、前記ハンドル部３は、前記本体２の外面に接触し、前記本体２の外面を囲むハンドルボディ３００を含むことができる。
【０３１０】
前記ハンドルボディ３００は、前記カバー部材７０との結合のためのカバー結合部３０１を含むことができる。
【０３１１】
前記カバー結合部３０１によって前記ハンドル部３は、一例として上下方向に前記カバー部材７０に結合され得る。
【０３１２】
前記カバー結合部３０１は、前記カバー部材７０のハンドルフック結合部７１７に結合されるためのハンドルフック３０３を含むことができる。
【０３１３】
また、前記カバー結合部３０１は、前記カバー部材７０の第２ハンドル結合部７２１に結合されるための挿入リブ３０２をさらに含むことができる。
【０３１４】
前記ハンドルボディ３００は、前記本体２の第２ボディ１２に結合されるためのボディ結合部３０４をさらに含むことができる。
【０３１５】
前記ボディ結合部３０４は、側面結合リブ３０４ａと、上部結合リブ３０４ｂとを含むことができる。前記の側面結合リブ３０４ａは、前記第１リブ結合部１３９ａと結合することができ、前記上部結合リブ３０４ｂは、前記第２リブ結合部１３９ｂと結合することができる。
【０３１６】
前記ハンドルボディ３００は、前記インナーハウジング６１０と結合するためのハウジング結合リブ３０８をさらに含むことができる。
【０３１７】
一方、前記ハンドル部３は、前記カバー部材７０に結合された前記本体端子８０と連結されるためのハンドル端子９０をさらに含むことができる。
【０３１８】
前記ハンドルボディ３００は、前記ハンドル端子９０が結合される端子結合部３０５をさらに含むことができる。
【０３１９】
前記端子結合部３０５は、前記ハンドル端子９０の左右両側に結合される複数の端子結合フック３０５a、３０５ｂと、前記ハンドル端子９０のハウジング突起（図３４の９１４参照）が結合されるための突起結合部３０６とを含むことができる。
【０３２０】
前記ハンドル端子９０は、前記複数の端子結合フック３０５a、３０５ｂの間に位置した状態で前記複数の端子結合フック３０５a、３０５ｂと結合する。
【０３２１】
前記ハンドル部３は、前記吸入モータ２０を制御するためのメインＰＣＢ（ｍａｉｎ  ＰＣＢ）ユニット３４０をさらに含むことができる。
【０３２２】
図３３および図３４は、本発明の一実施例に係るハンドル端子の斜視図である。
【０３２３】
図３３および図３４を参照すると、前記ハンドル端子９０は、端子ハウジング９０１、９１０を含むことができる。
【０３２４】
前記ハンドル端子９０は、前記第１上部電源端子９２１と第２上部電源端子９２２とをさらに含むことができる。
【０３２５】
前記第１上部電源端子９２１は、前記第１下部電源端子８２１と連結され得、前記第２上部電源端子９２２は、前記第２下部電源端子８２２と連結され得る。
【０３２６】
前記各上部電源端子９２１、９２２は、一対の端子ピンを含むことができる。前記各上部電源端子９２１、９２２の端子ピンは、水平方向に離隔した状態で一列に配置され得る。
【０３２７】
前記端子ハウジング９０１、９１０は、第１ハウジング９０１と、前記第１ハウジング９０１と結合する第２ハウジング９１０とを含むことができる。
【０３２８】
前記第１ハウジング９０１と前記第２ハウジング９１０のいずれか一つには、ハウジングフック９０２が備えられ、他の一つには、前記ハウジングフック９０２が結合されるためのフック結合スロット９１２が備えられ得る。図３４には、一例として第１ハウジング９０１にハウジングフック９０２が備えられ、第２ハウジング９１０にフック結合スロット９１２が備えられることが示される。
【０３２９】
前記第１ハウジング９０１と前記第２ハウジング９１０は、一例として水平方向に結合され得る。前記第１ハウジング９０１と前記第２ハウジング９１０が共に端子収容空間を形成することができる。
【０３３０】
前記第１ハウジング９０１および前記第２ハウジング９１０それぞれは、互いに区画された複数の端子収容空間を形成するための複数の区画壁９０３、９１３を含むことができる。
【０３３１】
前記第２ハウジング９１０には、前記ハンドルボディ３００の突起結合部３０６に結合されるためのハウジング突起９１４が備えられ得る。前記ハンドル端子９０が前記本体に安定的に結合されるように複数のハウジング突起９１４が前記第２ハウジング９１０に備えられ得る。
【０３３２】
そして、前記第１ハウジング９０１の両側には、前記複数の端子結合フック３０５a、３０５ｂそれぞれが係止されるためのフック係止溝９０５が備えられ得る。
【０３３３】
図３５は、本発明の一実施例に係るメインＰＣＢユニットの斜視図であり、図３６は、図３５のメインＰＣＢユニットの正面図であり、図３７および図３８は、図３５のメインＰＣＢユニットの分解斜視図であり、図３９は、本発明のＰＣＢコネクターの斜視図である。
【０３３４】
本発明でコネクター端子３４９ａは、前記第２ボディ１２のコネクター支持部１３６に設けられるが、メインＰＣＢとの結合関係の明確な理解のために、図３５ないし図３８にＰＣＢコネクターを共に示するようにする。
【０３３５】
図３５ないし図３９を参照すると、本実施例に係るメインＰＣＢユニット３４０は、メインＰＣＢ３４１を含むことができる。
【０３３６】
前記第２延長部３２０が形成する空間内に前記メインＰＣＢ３４１が位置するように、前記メインＰＣＢ３４１は複数のＰＣＢに分離されて形成され得る。すなわち、前記メインＰＣＢ３４１は、第１ＰＣＢ３４２と第２ＰＣＢ３４４とを含むことができる。
【０３３７】
前記第１ＰＣＢ３４２と前記第２ＰＣＢ３４４は、立てられた状態で平行に配置され得る。前記第１ＰＣＢ３４２と前記第２ＰＣＢ３４４は、水平方向に離隔して配置され得る。
【０３３８】
前記第１ＰＣＢ３４２と前記第２ＰＣＢ３４４との間には、二つのＰＣＢ３４２、３４４を互いに連結させるための一つ以上の連結端子３４８が位置し得る。
【０３３９】
前記メインＰＣＢユニット３４０は、前記第１ＰＣＢ３４２と前記第２ＰＣＢ３４４とを連結するためのＰＣＢコネクター３５０をさらに含むことができる。
【０３４０】
前記ＰＣＢコネクター３５０は、機構的に前記第１ＰＣＢ３４２と前記第２ＰＣＢ３４４とを連結することができる。
【０３４１】
前記ＰＣＢコネクター３５０は、前記第１ＰＣＢ３４２と前記第２ＰＣＢ３４４が上側に安着され得るコネクターボディ３５１を含むことができる。
【０３４２】
前記コネクターボディ３５１は、板状に形成され得る。前記ＰＣＢコネクター３５０は、前記第１ＰＣＢ３４２と前記第２ＰＣＢ３４４が離隔した状態を維持するための一つ以上のスペーサー３５２をさらに含むことができる。
【０３４３】
このとき、前記一つ以上のスペーサー３５２は、前記コネクターボディ３５１の下面３５１ａから下方に突出することができる。
【０３４４】
前記一つ以上のスペーサー３５２の両側面には、前記第１ＰＣＢ３４２および前記第２ＰＣＢ３４４と結合のための結合突起３５３が形成され得る。そして、前記各ＰＣＢ３４２、３４４には、前記結合突起３５３が結合されるための突起結合部３４６、３４７が備えられ得る。前記突起結合部３４６、３４７は、溝または孔であり得る。
【０３４５】
本明細書において、互いに結合されたＰＣＢコネクター３５０と前記メインＰＣＢ３４１をメインＰＣＢ組立体ということができる。
【０３４６】
前記ＰＣＢコネクター３５０の結合突起３５３が前記各ＰＣＢ３４２、３４４の突起結合部３４６、３４７に結合された状態で、前記コネクターボディ３５１が前記第１ＰＣＢ３４２および前記第２ＰＣＢ３４４の上面に安着され得るように、前記一つ以上のスペーサー３５２の幅は、前記コネクターボディ３５１の幅より小さく形成され得る。
【０３４７】
また、前記一つ以上のスペーサー３５２は、前記コネクターボディ３５１の幅方向端部３５１ｂ、３５１ｃから離隔するように配置され得る。
【０３４８】
前記ＰＣＢコネクター３５０の結合突起３５３が前記各ＰＣＢ３４２、３４４の突起結合部３４６、３４７に結合された状態で、前記コネクターボディ３５１が前記第１ＰＣＢ３４２と前記第２ＰＣＢ３４４の上面に安着されると、前記メインＰＣＢユニット３４０の高さが減ることができるという長所がある。
【０３４９】
もちろん、前記ＰＣＢコネクター３５０の結合突起３５３が前記各ＰＣＢ３４２、３４４の突起結合部３４６、３４７に結合された状態で、前記コネクターボディ３５１が前記第１ＰＣＢ３４２と前記第２ＰＣＢ３４４の上面から離隔することも可能である。
【０３５０】
また、前記一つ以上のスペーサー３５２が前記コネクターボディ３５１の幅方向端部３５１ｂ、３５１ｃから離隔するように配置される場合には、前記ＰＣＢコネクター３５０の結合突起３５３が前記各ＰＣＢ３４２、３４４の突起結合部３４６、３４７に結合された状態で、前記メインＰＣＢユニット３４０の幅が減ることができるという長所がある。
【０３５１】
前記ＰＣＢコネクター３５０が複数のスペーサー３５２を含む場合には、複数のスペイト３５２は、前記コネクターボディ３５１の長手方向に離隔して配列され得る。
【０３５２】
前記ＰＣＢコネクター３５０は、前記ハンドルボディ３３２と結合するための結合フック３５７を含むことができる。
【０３５３】
このとき、前記結合フック３５７は、前記コネクターボディ３５１から水平方向に延びることができる。
【０３５４】
前記結合フック３５７による前記ＰＣＢコネクター３５０と前記ハンドルボディ３３２との結合過程で、前記結合フック３５７が破損されることが防止されるように、前記コネクターボディ３５１の下面３５１ａには補強リブ３５４が備えられ得る。
【０３５５】
前記補強リブ３５４は、制限的ではないが、前記コネクターボディ３５１の下面３５１ａから突出し、前記結合フック３５７と前記一つ以上のスペーサー３５２とを連結することができる。
【０３５６】
もし、前記ＰＣＢコネクター３５０が複数のスペーサー３５２を含む場合には、前記補強リブ３５４は、前記複数のスペーサー３５２のうち前記結合フック３５７と最も近いスペーサー３５２と前記結合フック３５７とを連結することができる。
【０３５７】
前記第１ＰＣＢ３４２と前記第２ＰＣＢ３４４のいずれか一つは、前記掃除機１の状態を表示するための発光部３７０が設けられ得る。
【０３５８】
図３８には、一例として前記第２ＰＣＢ３４４に前記発光部３７０が設けられることが示される。前記発光部３７０は、一つ以上のＬＥＤを含むことができる。一例として、図３８には前記発光部３７０が前記コネクターボディ３５１の長手方向と平行な方向に離隔して配置される複数のエルイーディー（ＬＥＤ）３７１、３７２、３７３を含むことが示される。
【０３５９】
制限的ではないが、前記複数のＬＥＤ３７１、３７２、３７３を用いて、前記バッテリー４０の残量、前記吸入モータ２０の吸入力の強さなどを表示することができる。
【０３６０】
前記コネクターボディ３５１には、前記複数のＬＥＤ３７１、３７２、３７３から 照射された光が通過するための複数の光開口３５５が備えられ得る。
【０３６１】
前記複数の光開口３５５は、前記コネクターボディ３５１の長手方向に離隔して配置され得、前記ＰＣＢコネクター３５０が前記各ＰＣＢ３４２、３４４と連結されると、前記複数の光開口３５５は、前記複数のＬＥＤ３７１、３７２、３７３と整列され得る。
【０３６２】
前記一つ以上のスペーサー３５２が前記複数のＬＥＤ３７１、３７２、３７３から照射される光に干渉されないように、前記一つ以上のスペーサー３５２は、隣接する二つの光開口３７５の間の領域に位置する。
【０３６３】
この場合、前記スペーサー３５２が前記各ＬＥＤ３７１、３７２、３７３から照射された光に干渉されないだけでなく、隣接した二つのＬＥＤから照射される光間の相互干渉が防止されるようにする役割をする。すなわち、前記スペーサー３５２は、隣接する二つのＬＥＤから照射される光の経路を区画する役割をする。
【０３６４】
前記各ＰＣＢ３４２、３４４は、後述するパワーＰＣＢ（Ｐｏｗｅｒ  ＰＣＢ）（図４３の３８０参照）を支持するための延長部３４３、３４５を含むことができる。前記延長部３４３、３４５は、前記パワーＰＣＢ（Ｐｏｗｅｒ  ＰＣＢ）（図４３の３８０参照）を傾斜した状態で支持するための傾斜面３４３a、３４５ａを含むことができる。
【０３６５】
前記第１ＰＣＢ３４２と前記第２ＰＣＢ３４４のいずれか一つには、前記パワーＰＣＢ（図４３の３８０参照）と連結されるための第１連結端子３４９が備えられ得る。
【０３６６】
図３６には、一例として前記第１連結端子３４９が前記第１ＰＣＢ３４２の第１延長部３４３に位置することが示される。
【０３６７】
前記第１ＰＣＢ３４２と前記第２ＰＣＢ３４４のいずれか一つには、前記コネクティング端子３４９ａが連結され得る。
【０３６８】
図３５には、一例として前記コネクティング端子３４９ａが前記第２ＰＣＢ３４４に連結され得ることが示される。前記第２ＰＣＢ３４４が上下方向に移動する過程で、前記第２ＰＣＢ３４４が前記コネクティング端子３４９ａと結合するように、前記第２ＰＣＢ３４４は切開溝３４４ａを含むことができる。
【０３６９】
そして、前記第２ＰＣＢ３４４が前記コネクティング端子３４９ａに係合されるように、前記コネクティング端子３４９ａは、第１信号端子３４９ｂと、前記第１信号端子３４９ｂから離隔する第２信号端子３４９ｃとを含むことができる。
【０３７０】
前記第２ＰＣＢ３４４は、前記第１信号端子３４９ｂと前記第２信号端子３４９ｃとの間に係合され得る。
【０３７１】
前記第１ＰＣＢ３４２と前記第２ＰＣＢ３４４のうち一つ以上は、示されていない電線によって前記ハンドル端子９０に連結され得る。
【０３７２】
前記メインＰＣＢユニット３４０は、前記各ＰＣＢ３４２、３４４と前記ＰＣＢコネクター３５０の上側をカバーするＰＣＢカバー３６０をさらに含むことができる。
【０３７３】
前記ＰＣＢカバー３６０は、前記ＰＣＢコネクター３５０の上面をカバーする上面部３６１と、前記上面部３６１の両段から下方に延びる一対の側面部３６２、３６３とを含むことができる。
【０３７４】
前記一対の側面部３６２、３６３は、前記ＰＣＢコネクター３５０をカバーするだけでなく、前記各ＰＣＢ３４２、３４４の上側の一部をカバーすることができる。
【０３７５】
前記一対の側面部３６２、３６３によって、前記ＰＣＢコネクター３５０と連結された各ＰＣＢ３４２、３４４が前記ハンドル３０内で水平方向に移動することが防止され得る。
【０３７６】
前記ＰＣＢカバー３６０は、前記コネクターボディ３５１の複数の光開口３５５をカバーする。このとき、前記複数の光開口３５５を通過した光が前記ＰＣＢカバー３６０を透過できるように、前記ＰＣＢカバー３６０には複数の光透過部３６４が備えられ得る。前記複数の光透過部３６４の個数は、前記複数の光開口３５５と同一であり、前記複数の光開口３５５と対向するように配置される。
【０３７７】
前記複数の光透過部３６４は、前記ＰＣＢカバー３６０の上面部３６１から上方に突出することができる。
【０３７８】
前記ＰＣＢカバー３６０において、少なくとも複数の光透過部３６４は、透明または半透明であり得る。
【０３７９】
図４０は、本発明の一実施例に係るハンドルボディの斜視図であり、図４１は、ハンドルの内部構造を示す断面図であり、図４２は、ハンドルボディにメインＰＣＢユニットが結合された状態の断面図であり、図４３は、ハンドルボディにメインＰＣＢユニットが結合された状態でパワーＰＣＢが支持リブに安着された様子を示す図であり、図４４は、図４３の状態でハンドルカバーおよび操作部が結合される様子を示す図である。
【０３８０】
図４０ないし図４４を参照すると、前記ハンドルボディ３００は、第１ハンドルボディ３３２と、前記第１ハンドルボディ３３２に結合される第２ハンドルボディ３３４とを含むことができる。
【０３８１】
前記第１ハンドルボディ３３２は、前記第１延長部３１０の一部および第２延長部３２０の一部を形成する。前記第２ハンドルボディ３３４は、前記第１延長部３１０の残りの一部および前記第２延長部３２０の残りの一部を形成する。
【０３８２】
すなわち、前記第１ハンドルボディ３３２に前記第２ハンドルボディ３３４が結合されることによって、前記第１ハンドルボディ３３２と前記第２ハンドルカバー３３４が前記第１延長部３１０と第２延長部３２０を形成する。
【０３８３】
そして、前記第１ハンドルボディ３３２は、前記ハンドル３０を形成するだけでなく、前記アウターハウジング６００を形成することができる。
【０３８４】
前記第１ハンドルボディ３３２には、前記メインＰＣＢユニット３４０が収容されるための収容空間３２２が形成され得る。前記収容空間３２２は、実質的に前記第２延長部３２０内に形成される空間である。
【０３８５】
前記第１ハンドルボディ３３２は、前記メインＰＣＢユニット３４０を支持するサポーター３２４を含むことができる。
【０３８６】
前記サポーター３２４は、前記メインＰＣＢユニット３４０が安着される安着面３２４ａと、前記安着面３２４ａに安着された第１ＰＣＢ３４２を支持する第１リブ３２４ｂと、前記安着面３２４ａに安着された第２ＰＣＢ３４４を支持する第２リブ３２４ｃとを含むことができる。
【０３８７】
前記各リブ３２４ｂ、３２４ｃは、前記安着面３２４ａから上方に突出することができる。
【０３８８】
前記第１リブ３２４ｂと前記第２リブ３２４ｃによって、前記サポーター３２４に支持された前記メインＰＣＢユニット３４０が図４０を基準に左右方向に移動することが防止され得る。
【０３８９】
また、前記第１リブ３２４ｂと前記第２リブ３２４ｃは、メインＰＣＢ組立体を前記第１ハンドルボディ３３２の収容空間３２２に収容する過程で、前記メインＰＣＢ組立体の引き入れをガイドする。
【０３９０】
前記第１ハンドルボディ３３２は、前記ＰＣＢカバー３６０の複数の光透過部３６４が挿入されるための複数の挿入孔３２７をさらに含むことができる。
【０３９１】
前記複数の光透過部３６４が前記複数の挿入孔３２７に挿入された状態で、前記複数の光透過部３６４は前記ハンドル３０の外部に露出し得る。したがって、前記複数の光透過部３６４によって複数のＬＥＤ３７１、３７２、３７３から照射される光を使用者が目視で確認することができる。
【０３９２】
本実施例の場合、前記複数の光透過部３６４が前記複数の挿入孔３２７に挿入されるので、外部の水分または異物が前記複数の挿入孔３２７を介して前記メインＰＣＢ３４１側に移動することが防止され得る。
【０３９３】
前記第１ハンドルボディ３３２は、前記収容空間３２２に前記メインＰＣＢ組立体が収容される過程で、前記ＰＣＢコネクター３５０と結合するコネクター結合部３２５をさらに含むことができる。
【０３９４】
前記コネクター結合部３２５には、前記ＰＣＢコネクター３５０の結合フック３５７が貫通するための貫通孔３２５ａと、前記貫通孔３２５ａを貫通した結合フック３５７が係止されるフック係止リブ３２５ｂとが備えられ得る。
【０３９５】
一方、前記パワーＰＣＢ３８０は、前記操作部３９０の操作命令の入力を受けるための第１スイッチ３８２と第２スイッチ３８４とを含むことができる。制限的ではないが、前記第１スイッチ３８２は、前記吸入モータ２０のオンまたはオフ命令の入力を受けることができ、前記第２スイッチ３８４は、前記吸入モータ２０の吸入力の強さを調節するための命令の入力を受けることができる。
【０３９６】
前記第１ハンドルボディ３３２は、前記パワーＰＣＢ３８０を支持するための支持リブ３２６をさらに含むことができる。前記支持リブ３２６は、前記コネクター結合部３２５から下方に延びることができる。
【０３９７】
前記支持リブ３２６は、前記パワーＰＣＢ３８０が傾斜した状態で配置されるようにするための傾斜面３２６ａを含むことができる。したがって、前記パワーＰＣＢ３８０が前記傾斜面３２６ａに支持された状態で、前記第１スイッチ３８２と前記第２スイッチ３８４の高さは異なるようになる。
【０３９８】
前記メインＰＣＢユニット３４０が前記第１ハンドルボディ３３２に結合されると、前記第１ＰＣＢ３４２と前記第２ＰＣＢ３４４との間に前記支持リブ３２６が位置する。このとき、前記メインＰＣＢユニット３４０の結合過程で、前記支持リブ３２６によってメインＰＣＢ３４１が損傷されることが防止されるように、前記支持リブ３２６は前記第１ＰＣＢ３４２および第２ＰＣＢ３４４それぞれから離隔する。
【０３９９】
前記支持リブ３２６の傾斜面３２６ａの傾斜角度は、前記各ＰＣＢ３４２、３４４の延長部３４３、３４５の傾斜面３４３a、３４５ａの傾斜角度と同一であり得る。
【０４００】
したがって、前記各ＰＣＢ３４２、３４４の傾斜面３４３a、３４５ａおよび前記支持リブ３２６の傾斜面３２６ａが前記パワーＰＣＢ３８０を支持することができる。
【０４０１】
もちろん、前記支持リブ３２６の傾斜面３２６ａに前記パワーＰＣＢ３８０が接触した状態で、前記各ＰＣＢ３４２、３４４の傾斜面３４３a、３４５ａが前記パワーＰＣＢ３８０から離隔することも可能である。
【０４０２】
前記支持リブ３２６の傾斜面３２６ａに接触した前記パワーＰＣＢ３８０が図４３を基準に左右方向に移動することを防止するために、前記第１ハンドルボディ３３２は、前記パワーＰＣＢ３８０を貫通する係合リブ３２６ｂをさらに含むことができる。そして、前記パワーＰＣＢ３８０には、前記係合リブ３２６ｂが貫通するためのスリット３８６が形成され得る。
【０４０３】
前記係合リブ３２６ｂは、前記支持リブ３２６の下側に位置し得る。前記パワーＰＣＢ３８０が前記支持リブ３２６の傾斜面３２６ａに安着されると、前記係合リブ３２６ｂが前記スリット３８６に係合されるので、前記パワーＰＣＢ３８０の組立過程で、前記パワーＰＣＢ３８０が前記支持リブ３２６の傾斜面３２６ａに沿って下側に滑ることが防止され得る。
【０４０４】
前記第１ハンドルボディ３３２は、前記支持リブ３２６に安着された前記パワーＰＣＢ３８０の上方移動を防止するための上部ストッパー３２８をさらに含むことができる。
【０４０５】
前記第１ハンドルボディ３３２は、スクリューのような締結部材（図示せず）によって前記支持リブ３２６に安着された前記パワーＰＣＢ３８０と締結されるための締結ボス３２９をさらに含むことができる。
【０４０６】
前記パワーＰＣＢ３８０には、前記締結部材が貫通するための貫通孔３８１が形成され得る。
【０４０７】
一方、前記操作部３９０は、前記第２ハンドルボディ３３４に締結されるための支持フレーム３９６と、前記支持フレーム３９６に結合される操作ボタン３９１とを含むことができる。
【０４０８】
前記操作ボタン３９１は、前記第１スイッチ３８２を押すための第１プッシュ部３９２と、前記第２スイッチ３８４を押すための第２プッシュ部３９４とを含むことができる。すなわち、一つの操作ボタン３９１が二つのプッシュ部３９２、３９４を含むことができる。
【０４０９】
本発明の場合、前記第１スイッチ３８２と前記第２スイッチ３８４が互いに異なる高さに配置されて前記パワーＰＣＢ３８０が傾斜するので、使用者が前記ハンドル３０を把持した状態で、一つの指で前記操作ボタン３９１を操作して前記第１スイッチ３８２を押したり第２スイッチ３８４を押すことができる。したがって、使用者の操作便宜性が向上し得る。
【０４１０】
以下、メインＰＣＢユニット３４０とパワーＰＣＢ３８０の組立過程について説明する。
【０４１１】
先に、前記第１ハンドルボディ３３２の収容空間３２２に前記ＰＣＢカバー３６０を引き入れた状態で、前記被ＣＰカバー３６０の光透過部３６４が前記第１ハンドルボディ３３２の挿入孔３２７に挿入されるようにする。
【０４１２】
そして、前記第１ＰＣＢ３４２と前記第２ＰＣＢ３４４を前記ＰＣＢコネクター３５０に連結してメインＰＣＢ組立体を完成し、前記メインＰＣＢ組立体を前記ＰＣＢカバー３６０と前記ハンドルボディ３３２のサポーター３２４との間の空間に挿入する。
【０４１３】
前記メインＰＣＢ組立体の挿入過程で、前記ＰＣＢカバー３６０の一対の側面部３６２、３６３と前記サポーター３２４の第１および第２リブ３２４ｂ、３２４ｃは、前記メインＰＣＢ組立体の挿入をガイドする。
【０４１４】
前記メインＰＣＢ組立体が前記第１ハンドルボディ３３２の収容空間３２２に挿入される過程で、前記ＰＣＢコネクター３５０の結合フック３５７が前記フック貫通孔３２５ａを貫通してフック係止リブ３２５ｂに係止されると、前記メインＰＣＢ組立体の組み立ては完了する。
【０４１５】
この状態で、図４３のように前記パワーＰＣＢ３８０を前記支持リブ３２６に安着させた状態で、締結部材を用いて前記パワーＰＣＢ３８０を前記第１ハンドルボディ３３２に固定することができる。
【０４１６】
前記パワーＰＣＢ３８０は、実質的に前記メインＰＣＢ３４１と同じ高さで前記第１ハンドルボディ３３２に固定される。
【０４１７】
次に、図４４のように前記第１ハンドルボディ３３２に前記第２ハンドルボディ３３４を結合させた後に前記第２ハンドルボディ３３４に前記操作部３９０を結合させることができる。
【０４１８】
提案される本発明によると、前記メインＰＣＢ３４１が二つのＰＣＢに区分された状態で、前記第１ハンドルボディ３３２内に収容されるので、メインＰＣＢ３４１の大きさが減ることができるという長所がある。
【０４１９】
特に、前記二つのＰＣＢが平行な状態および立てられた状態で前記ハンドルボディに収容されるので、メインＰＣＢユニット３４０の大きさが最小化されるという長所がある。
【０４２０】
また、二つのＰＣＢをＰＣＢコネクター３５０に連結した状態で、メインＰＣＢ組立体を第１ハンドルボディ３３２の収容空間３２２に挿入させる過程で、前記メインＰＣＢ組立体が前記第１ハンドルボディ３３２に結合され得るので、二つのＰＣＢを互いに固定するための構造および二つのＰＣＢを前記第１ハンドルボディ３３２に固定するための構造が簡単になり、使用者の組立過程が容易であるという長所がある。
【０４２１】
図４５は、ハンドル部にハンドル端子とメインＰＣＢユニットが設けられた様子を示す図であり、図４６は、ハンドル部の組み立てが完了した状態でハンドル部が本体に結合される様子を示す図である。
【０４２２】
図４５および図４６を参照すると、前記ハンドルボディ３００に前記メインＰＣＢユニット３４０と前記操作部３９０および前記ハンドル端子９０を結合させた状態で、前記ハンドル部３は前記本体２に連結することができる。
【０４２３】
前記ハンドル部３は、スクリューを利用せずに前記本体２にスライディング結合され得る。一例として、前記ハンドル部３を前記本体２に接触させた状態で、前記ハンドル部３を下方にスライディングさせて前記ハンドル部３を前記本体２に結合させることができる。
【０４２４】
本発明において、前記ハンドル部３が前記本体２に結合される方向を第２結合方向ということができる。このとき、前記第２結合方向は、前記吸入部５が前記本体２に結合される方向である第１結合方向と交差することができる。前記第２結合方向は、実質的に前記第１結合方向と垂直であり得る。
【０４２５】
本発明において、前記ハンドル部３は、前記本体２の第２ボディ１２および前記カバー部材７０それぞれに結合される。
【０４２６】
このとき、前記ハンドル部３と前記第２ボディ１２の結合と前記ハンドル部３と前記カバー部材７０の結合は同時に行われる。
【０４２７】
一方、前記ハンドル部３は、複数のハンドル電線９４２、９４４、９４６をさらに含むことができる。前記複数のハンドル電線９４２、９４４、９４６は、前記メインＰＣＢユニット３４０に連結され得る。
【０４２８】
前記メインＰＣＢユニット３４０は、前記バッテリー４０と連結され得る。また、前記メインＰＣＢユニット３４０は、前記操作部３９０から操作信号の入力を受けることができる。前記メインＰＣＢユニット３４０は、入力された操作信号に基づいて前記吸入モータ２０および／または前記第１端子１３９に電源を供給したり前記吸入モータ２０の吸入力の強さを調節することができる。
【０４２９】
前記複数のハンドル電線９４２、９４４、９４６は、前記ハンドル端子９０に連結されて前記第１端子１３９に電源を供給するための第１ハンドル電線９４２と、前記ハンドル端子９０に連結されて前記吸入モータ２０に電源を供給するための第２ハンドル電線９４４とを含むことができる。
【０４３０】
前記ハンドル端子９０が前記本体端子８０と連結されると、前記第１ハンドル電線９４２は、前記本体２に備えられる第１本体電線１７１と連結され、前記第２ハンドル電線９４４は、前記本体２に備えられる第２本体電線１７２と連結され得る。
【０４３１】
前記複数のハンドル電線９４２、９４４、９４６は、前記充電台連結端子６２８と連結される端子連結電線９４６をさらに含むことができる。
【０４３２】
前記ハンドル部３は、前記複数のハンドル電線９４２、９４４、９４６が互いに絡まれていない状態で位置するようにハンドル電線の位置をガイドする電線ガイド３０９をさらに含むことができる。
【０４３３】
先に、前記ハンドル部３と前記カバー部材７０の結合過程を先に説明する。
【０４３４】
図４７は、ハンドル部がカバー部材に結合される前の状態を示す縦断面図であり、図４８は、ハンドル部がカバー部材に結合された状態を示す縦断面図であり、図４９は、ハンドル部がカバー部材に結合された状態を示す横断面図である。
【０４３５】
図２５、図４７ないし図４９を参照すると、前記ハンドル部３が前記カバー部材７０に結合されるために、前記ハンドル部３の挿入リブ３０２が前記カバーボディ７１０の第２ハンドル結合部７２１の挿入開口７２４と整列され得る。
【０４３６】
この状態で、前記ハンドル部３が下方に移動すると、前記ハンドル部３の挿入リブ３０２が前記挿入開口３２４を通って前記第２ハンドル結合部７２１の第１延長部７２２に安着されて前記第２延長部７２３に係止される。
【０４３７】
また、前記ハンドル部３のハンドルフック３０３が前記カバーボディ７１０のハンドルフック結合部７１７に係止される。また、前記ハンドル端子９０が前記本体端子８０と連結される。すなわち、前記ハンドル端子９０は、前記ハンドル部３が下方に移動して前記カバー部材７０と結合する過程で前記本体端子８０と連結される。
【０４３８】
このとき、前記カバー部材７０の複数の結合リブ７１６ａは、前記ハンドル端子９０と前記本体端子８０との結合をガイドする。そして、前記ハンドル端子９０が前記本体端子８０に結合された状態で、前記複数の結合リブ７１６ａは、前記ハンドル端子９０の両側の一部をカバーすることができる。
【０４３９】
したがって、本発明によると、前記ハンドル部３を前記カバー部材７０に結合させる過程で前記ハンドル端子９０と前記本体端子８０が連結されるので、前記ハンドル端子９０と本体端子８０の結合過程が省略され得、使用者の便宜性が向上し得るという長所がある。
【０４４０】
このとき、前記ハンドル部３の挿入リブ３０２および前記カバー部材７０の第２ハンドル結合部７２１によって、前記ハンドル部３は前記カバー部材７０にスライディング結合されるので、前記ハンドル端子９０と前記本体端子８０が安定的に結合され得るという長所がある。
【０４４１】
次に、前記ハンドル部３と前記第２ボディ１２の結合過程について説明する。
【０４４２】
図５０は、ハンドル部が第２ボディに結合される前の状態を示す縦断面図であり、図５１は、ハンドル部が第２ボディに結合された状態を示す縦断面図である。
【０４４３】
図１０、図３２、図５０および図５１を参照すると、前記ハンドル部３が前記第２ボディ１２に結合されるために、前記ハンドル部３の側面結合リブ３０４ａが前記第１リブ結合部１３９ａと整列され、前記上面結合リブ３０４ｂが前記第２リブ結合部１３９ｂと整列される。また、前記第２ＰＣＢ３４４が前記コネクティング端子３４９ａの第１信号端子３４９ｂと前記第２信号端子３４９ｃとの間の空間と整列される。
【０４４４】
この状態で、前記ハンドル部３が下方に移動すると、前記の側面結合リブ３０４ａが前記第１リブ結合部１３９ａに係合され、前記上面結合リブ３０４ｂが前記第２リブ結合部１３９ｂに係合される。そして、前記第２ＰＣＢ３４４が前記コネクティング端子３４９ａの第１信号端子３４９ｂと前記第２信号端子３４９ｃとの間の空間に引き入れられて前記各信号端子３４９ｂ、３４９ｃと接触するようになる。
【０４４５】
このような本発明によると、前記ハンドル部３を前記本体２に接触させた状態で下方に移動させるだけで、前記第２ＰＣＢ３４４が前記コネクティング端子３４９ａに連結され得るので、使用者がコネクティング端子３４９ａとメインＰＣＢ３４１を連結させなければならない手間が減少することができる。
【０４４６】
また、スクリューを使用しなくても前記ハンドル部３を前記本体２に結合させることができるので、組立過程が簡単になるという長所がある。
【０４４７】
図５２は、ボディカバーが結合されたインナーハウジングが本体に結合される様子を示す図であり、図５３は、カバー部材が本体に結合された状態を示す斜視図であり、図５４は、カバー部材が結合された本体にインナーハウジングが結合された状態を示す斜視図であり、図５５は、本体にインナーハウジングが結合された状態を示す断面図である。
【０４４８】
図５２ないし図５５を参照すると、前記ハンドル部３が前記本体２に結合された状態で、前記ボディカバー１６が結合されたインナーハウジング６１０を前記本体２に結合させることができる。
【０４４９】
前記ボディカバー１６のヒンジ１６２は、前記インナーハウジング６１０の一対のヒンジ結合部６２０に結合され得る。
【０４５０】
一方、前記カバー部材７０が前記第１ボディ１０に結合された状態で、前記カバー部材７０の下面７２９は、前記第１ボディ１０の下面から離隔する。そして、前記カバー部材７０の下面７２９は、前記第１ボディ１０のハウジング締結部１０８の下段より上方に位置する。
【０４５１】
前記カバーボディ７０の下面７２９と前記第１ボディ１０の下段との間には、前記インナーハウジング６１０のヒンジ結合部６２０が位置するための空間が形成される。
【０４５２】
したがって、前記インナーハウジング６１０は、前記アウターハウジング６００内に収容され得、前記ヒンジ結合部６２０は、前記カバー部材７０の下面７２９に接触し得る。
【０４５３】
前記インナーハウジング６１０の一対のヒンジ結合部６２０の間には、前記第１ボディ１０のハウジング締結部１０８に締結されるための締結リブ６２２が備えられる。前記締結リブ６２２は、前記一対のヒンジ結合部６２０を連結する。
【０４５４】
前記締結リブ６２２は、締結部材Ｓが締結されるための締結孔６２４を含むことができる。
【０４５５】
前記締結リブ６２２の一部は、前記第１ボディ１０の案内溝１０７に位置する。前記締結リブ６２２が前記案内溝１０７に位置した状態で、前記締結リブ６２２が前記ハウジング締結部１０８の下面と接触するようになる。
【０４５６】
この状態で、前記締結リブ６２２の下方で前記締結部材Ｓを用いて前記締結リブ６２２および前記ハウジング締結部１０８を互いに締結させることができる。
【０４５７】
前記インナーハウジング６１０には，前記ハンドル部３のハウジング結合リブ３０８が結合されるリブ係止部６２６が備えられ得る。前記リブ係止部６２６は、一例として前記一対のヒンジ結合部６２０それぞれに形成され得る。
【０４５８】
したがって、前記インナーハウジング６１０は、前記第１ボディ１０および前記ハンドル部３に結合され得る。
【０４５９】
図５６は、バッテリーハウジングにバッテリーが結合される様子を示す斜視図であり、図５７は、バッテリーハウジングにバッテリーが結合された様子を示す縦断面図である。
【０４６０】
図５６および図５７を参照すると、前記インナーハウジング６１０は、前記バッテリー４０が収容されるためのバッテリーチャンバ６１１を形成する。
【０４６１】
また、前記インナーハウジング６１０は、前記バッテリー４０が結合されるための係止リブ６４０を含むことができる。
【０４６２】
前記バッテリー４０は、複数の結合部４７０、４７４を含むことができる。前記複数の結合部４７０、４７４は、前記バッテリー４０の一側に配置される第１結合部４７０と、前記フレーム４１０の他側に配置される第２結合部４７４とを含むことができる。前記第１結合部４７０と前記第２結合部４７４は、一例として互いに反対側に位置し得る。
【０４６３】
前記第１結合部４７０は、第１フック４７２を含むことができる。前記バッテリー４０の結合過程で、前記第１結合部４７０の第１フック４７２が前記空間６２２を通って前記係止リブ６４０に係止され得る。
【０４６４】
前記第２結合部４７４は、前記バッテリー４０の外形を形成するフレーム４１０と一体に形成され、外力によって弾性変形され得る。
【０４６５】
前記フレーム４１０の下面から水平方向に延長部４７５が延び、前記第２結合部４７４は前記延長部４７５の端部から上方に延びる。前記延長部４７５によって前記第２結合部４７４は前記フレーム４１０の外面から離隔する。
【０４６６】
すなわち、前記フレーム４１０と前記第２結合部４７４との間に変形のための余裕空間が形成される。前記余裕空間によって前記第２結合部４７４は、外力によって前記フレーム４１０と近づく方向に弾性変形され得る。
【０４６７】
前記第２結合部４７４は、第２フック４７６を含むことができる。前記第２フック４７６は、前記第２結合部４７４の他の部分に比べて厚さが薄く形成され得る。
【０４６８】
前記バッテリー４０が前記バッテリーチャンバ６１１に収容された状態で、前記第２結合部４７４の操作が可能に前記第２結合部４７４を外部に露出させるために、前記アウターハウジング６００には第１露出開口６０２が備えられ、前記インナーハウジング６１０には第２露出開口６１２が備えられ得る。
【０４６９】
そして、前記インナーハウジング６１０において、前記第２露出開口６１２の上方には前記第２結合部４７４の第２フック４７６が結合される結合スロット６１４が形成され得る。前記結合スロット６１４は、孔または溝であり得る。
【０４７０】
前記第２結合部４７４の第２フック４７６は、前記インナーハウジング６１０内に引き入れられた状態で前記結合スロット６１４に挿入され得る。
【０４７１】
前記バッテリー４０の上側には突出部４５０が備えられ、前記突出部４５０の内側にバッテリー端子４９０が位置し得る。
【０４７２】
前記バッテリーハウジング６０は、前記突出部４５０が収容される収容部６６０を含むことができる。前記収容部６６０には、前記バッテリー端子４９０と結合するためのバッテリー連結端子６７０が備えられ得る。前記バッテリー連結端子６７０は、前記メインＰＣＢ３４１に連結され得る。
【０４７３】
本実施例においては、前記突出部４５０が前記収容部６６０に収容される過程で前記バッテリー連結端子６７０が前記突出部４５０を貫通するので、前記収容部６６０は、前記バッテリー連結端子６７０が前記突出部４５０を安定的に貫通するように前記突出部４５０の上方移動をガイドする役割をする。
【０４７４】
一方、前記バッテリー４０が前記バッテリーハウジング６０に収容された状態で前記バッテリー４０を分離するために、使用者は前記ヒンジ結合部６２０の間に形成される空間６２２に指を挿入することができる。
【０４７５】
そして、指で前記第１結合部４７０を前記フレーム４１０と近づく方向に加圧することができる。すると、前記第１結合部４７０の第１フック４７２と前記係止リブ６４０の係止が解除される。
【０４７６】
また、使用者は、前記バッテリーハウジング６０の外側に露出した前記第２結合部４７４を操作して前記第２結合部４７４と前記バッテリーハウジング６０の結合を解除することができる。
【０４７７】
具体的に、使用者は、前記第２結合部４７４を前記フレーム４１０側に加圧する。すると、前記第２結合部４７４は、前記フレーム４１０と前記第２結合部４７４との間の空間によって前記フレーム４１０と近づく方向に変形される。すると、前記第２フック４７６が前記結合スロット６１４から抜けるようになる。
【０４７８】
まとめると、前記第１結合部４７０と前記第２結合部４７４は、使用者によって互いに近づく方向に移動することによって結合が解除される。
【０４７９】
したがって、使用者は、片手の二つの指を用いて前記第１結合部４７０と前記第２結合部４７４それぞれの結合を解除できるので、使用者が容易に前記バッテリー４０を前記バッテリーハウジング６０から下方に分離できるという長所がある。
【０４８０】
本発明によると、前記バッテリー４０が前記バッテリーハウジング６０から分離され得るので、前記バッテリー４０のみを充電台に安着させて充電することができる。
【０４８１】
図５８は、本発明の掃除機の結合構造を概略的に示す概念図である。
【０４８２】
図１ないし５８を参照すると、本発明は、前述したように本体２と、ハンドル部３と、バッテリー４０とを含むことができる。
【０４８３】
本発明の掃除機１は、電源供給のために大きく三つの結合構造を有する。
【０４８４】
一番目の結合構造は、前記バッテリー４０と前記ハンドル部３の結合のための構造である。本発明において、前記バッテリー４０は、前記ハンドル部３に分離可能に結合される。
【０４８５】
前記バッテリー４０が前記ハンドル部３に結合されると、前記バッテリー４０は、前記メインＰＣＢユニット３４０に連結される。このとき、前記バッテリー４０と前記ハンドル部３の結合は、前記バッテリー端子４９０と前記バッテリー連結端子６７０の機構的な結合によって行われる。もちろん、前記メインＰＣＢユニット３４０は、前記バッテリー連結端子６７０と電線によって連結されているので、前記バッテリー端子４９０と前記バッテリー連結端子６７０が結合されると、互いに電気的に連結されて前記バッテリー４０の電源が前記メインＰＣＢユニット３４０に供給され得る。
【０４８６】
本発明の二番目の結合構造は、前記ハンドル部３と前記本体２の結合のための構造である。
【０４８７】
前記メインＰＣＢユニット３４０が前記ハンドル端子９０に連結された状態で、前記ハンドル部３が前記本体２に上下方向にスライディング結合されると、前記ハンドル端子９０と前記本体端子８０が機構的に結合される。もちろん、前記ハンドル端子９０と前記本体端子８０が機構的に結合されると、互いに電気的に連結されて前記メインＰＣＢユニット３４０から前記ハンドル端子９０を経由して前記本体端子８０に電源が供給され得る。
【０４８８】
このとき、前記ハンドル部３にカバー結合部３０１が備えられ、前記カバー部材７０に前記カバー結合部３０１が結合されるための前記挿入開口７２４およびハンドルフック結合部７１７が備えられ得る。したがって、前記ハンドル部３が前記カバー部材７０と安定的に結合され得、この過程で前記ハンドル端子９０が前記本体端子８０に正確に結合され得る。すなわち、前記カバー結合部３０１と前記挿入開口７２４およびハンドルフック結合部７１７は、前記ハンドル端子９０と前記本体端子８０の結合をガイドする役割をするので、前記ハンドル端子９０と前記本体端子８０の組立誤差が減るという長所がある。
【０４８９】
また、前記ハンドル部３にボディ結合部３０４が備えられ、前記本体２の第２ボディ１２に第１ハンドル結合部１３９ａ、１３９ｂが備えられることによって、前記ハンドル部３が前記第２ボディ１２と安定的に結合され得、この過程で前記ハンドル端子９０が前記本体端子８０に正確に結合され得る。すなわち、前記ボディ結合部３０４と前記第１ハンドル結合部１３９ａ、１３９ｂも前記ハンドル端子９０と前記本体端子８０の結合をガイドする役割をするので、前記ハンドル端子９０と前記本体端子８０の組立誤差が減るという長所がある。
【０４９０】
また、前述したように、前記カバー部材７０に前記本体端子８０と結合する複数の結合リブ７１６ａおよび前記本体端子８０の下側を支持する端子支持部７１６ｃが備えられる。したがって、前記ハンドル端子９０が前記本体端子８０に結合される過程で、前記本体端子８０が下側に弛むことが防止されて前記ハンドル端子９０と前記本体端子８０の組立誤差が減るという長所がある。
【０４９１】
本発明の三番目の結合構造は、前記本体端子８０と電気的に連結された本体電線と前記本体２内部に備えられる吸入モータ２０および前記第１端子１３９との間の結合構造である。このような結合構造は、前記本体２内に位置して本体電線の連結による電気的な結合構造である。このような電気的な結合構造によって前記本体端子８０に供給された電源が最終的に前記吸入モータ２０および前記第１端子１３９側に供給され得る。
【０４９２】
このような本発明の結合構造によると、空気が流動する流路は前記本体２にのみ形成され、前記ハンドル部３には形成されない。
【０４９３】
したがって、前記ハンドル部３を前記本体２に結合させるとき、前記ハンドル部３と前記本体２との境界部のシーリングのための構造が不要である。したがって、前記ハンドル部３を前記本体２に結合させるための構造が簡単になり、結合が容易であるという長所がある。
【０４９４】
本発明において、前記吸入モータ２０および前記第１端子１３９は、前記バッテリー４０の電源の供給を受ける構成であるので、電源需給部と称することができる。
【０４９５】
一方、上記実施例においては、カバー部材７０に前記本体端子８０を設け、前記ハンドル端子９０を前記本体端子８０に連結する構造が開示されるが、これとは異なり、前記本体の第２ボディに備えられるコネクティング端子３４９ａが前記吸入モータ２０の制御信号を伝達するための信号端子だけでなく、電源供給のための電源端子を共に含むことも可能である。すると、前記メインＰＣＢユニット３４０もまた、前記電源端子を含むことができる。
【０４９６】
この場合、前記本体２で本体端子８０が省略され、前記ハンドル部３でハンドル端子９０が省略され、前記メインＰＣＢユニット３４０が前記コネクティング端子３４９ａに連結されることによって、制御信号および電源が前記メインＰＣＢユニット３４０および前記コネクター端子３４９ａによって前記吸入モータに伝達され得、電源が前記第１端子１３９に伝達され得る。
【図１】
2019525813.tif 000003
【図２】
2019525813.tif 000004
【図３】
2019525813.tif 000005
【図４】
2019525813.tif 000006
【図５】
2019525813.tif 000007
【図６】
2019525813.tif 000008
【図７】
2019525813.tif 000009
【図８】
2019525813.tif 000010
【図９】
2019525813.tif 000011
【図１０】
2019525813.tif 000012
【図１１】
2019525813.tif 000013
【図１２】
2019525813.tif 000014
【図１３】
2019525813.tif 000015
【図１４】
2019525813.tif 000016
【図１５】
2019525813.tif 000017
【図１６】
2019525813.tif 000018
【図１７】
2019525813.tif 000019
【図１８】
2019525813.tif 000020
【図１９】
2019525813.tif 000021
【図２０】
2019525813.tif 000022
【図２１】
2019525813.tif 000023
【図２２】
2019525813.tif 000024
【図２３】
2019525813.tif 000025
【図２４】
2019525813.tif 000026
【図２５】
2019525813.tif 000027
【図２６】
2019525813.tif 000028
【図２７】
2019525813.tif 000029
【図２８】
2019525813.tif 000030
【図２９】
2019525813.tif 000031
【図３０】
2019525813.tif 000032
【図３１】
2019525813.tif 000033
【図３２】
2019525813.tif 000034
【図３３】
2019525813.tif 000035
【図３４】
2019525813.tif 000036
【図３５】
2019525813.tif 000037
【図３６】
2019525813.tif 000038
【図３７】
2019525813.tif 000039
【図３８】
2019525813.tif 000040
【図３９】
2019525813.tif 000041
【図４０】
2019525813.tif 000042
【図４１】
2019525813.tif 000043
【図４２】
2019525813.tif 000044
【図４３】
2019525813.tif 000045
【図４４】
2019525813.tif 000046
【図４５】
2019525813.tif 000047
【図４６】
2019525813.tif 000048
【図４７】
2019525813.tif 000049
【図４８】
2019525813.tif 000050
【図４９】
2019525813.tif 000051
【図５０】
2019525813.tif 000052
【図５１】
2019525813.tif 000053
【図５２】
2019525813.tif 000054
【図５３】
2019525813.tif 000055
【図５４】
2019525813.tif 000056
【図５５】
2019525813.tif 000057
【図５６】
2019525813.tif 000058
【図５７】
2019525813.tif 000059
【図５８】
2019525813.tif 000060
【国際調査報告】
2019525813.tif 000061
2019525813.tif 000062
2019525813.tif 000063
2019525813.tif 000064